(57)【要約】【課題】加湿機能を有した空調装置を提供する。【解決手段】空調装置１Ａは、室内に給気される空気が通る外気導入経路５と、隔絶された第１の流路３０ａを通る空気と第２の流路３０ｂを通る空気との間で熱交換を行う熱交換素子３Ａと、熱交換素子３Ａに給水する第１の散水装置６１ａと、空気調和を行うヒートポンプ空調機２Ａと、熱交換素子３Ａの第１の流路３０ａを、ヒートポンプ空調機２Ａを通して第２の流路３０ｂに連通させた熱交換流路５５ｃと、熱交換素子３Ａの第１の流路３０ａをバイパスして外気導入経路５を熱交換経路５５ｃと連通させた熱交換バイパス経路５６ａとを備え、熱交換バイパス経路５６ａを経由して熱交換経路５５ｃに空気を通し、ヒートポンプ空調機２Ａで空気調和すると共に、熱交換素子３Ａに供給された水分で第２の流路を通る空気を加湿する。【選択図】        図１
2007315711.tif 000002
【特許請求の範囲】
【請求項１】
室外より吸入され、室内に給気される空気が通る外気導入経路と、
隔絶された第１の流路を通る空気と第２の流路を通る空気との間で熱交換を行う熱交換素子と、
前記熱交換素子に給水する散水装置と、
前記熱交換素子に供給された水の余剰分を回収する回収装置と、
空気調和を行う空気調和機と、
前記外気導入経路と前記熱交換素子の前記第１の流路の吸入側を連通させ、前記第１の流路の吹出側を前記空気調和機を通して前記第２の流路の吸入側に連通させ、前記第２の流路の吹出側を室内へと連通させた熱交換経路と、
前記熱交換素子の前記第１の流路をバイパスして前記外気導入経路を前記熱交換経路と連通させた熱交換バイパス経路とを備え、
前記熱交換バイパス経路を経由して前記熱交換経路を通る空気を、前記空気調和機で空気調和すると共に、前記散水装置により前記熱交換素子に供給された水分で加湿する
ことを特徴とする空調装置。
【請求項２】
室外より吸入され、室内に給気される空気が通る外気導入経路と、
隔絶された第１の流路を通る空気と第２の流路を通る空気との間で熱交換を行う熱交換素子と、
前記熱交換素子に給水する散水装置と、
前記熱交換素子に供給された水の余剰分を回収する回収装置と、
空気調和を行う空気調和機と、
前記外気導入経路と前記熱交換素子の前記第１の流路の吸入側を連通させ、前記第１の流路の吹出側を前記空気調和機を通して前記第２の流路の吸入側に連通させ、前記第２の流路の吹出側を室内へと連通させた熱交換経路と、
室内から吸入した空気を、前記熱交換経路より上流で前記外気導入経路と合流させて前記熱交換経路に戻す循環経路と、
前記熱交換素子の前記第１の流路をバイパスして前記外気導入経路を前記熱交換経路と連通させた熱交換バイパス経路とを備え、
前記熱交換バイパス経路を経由して前記熱交換経路を通る空気を、前記空気調和機で空気調和すると共に、前記散水装置により前記熱交換素子に供給された水分で加湿する
ことを特徴とする空調装置。
【請求項３】
室外より吸入され、室内に給気される空気が通る外気導入経路と、
隔絶された第１の流路を通る空気と第２の流路を通る空気との間で熱交換を行う熱交換素子と、
前記熱交換素子に給水する散水装置と、
前記熱交換素子に供給された水の余剰分を回収する回収装置と、
空気調和を行う空気調和機と、
室内から吸入した空気が通る循環経路と前記熱交換素子の前記第１の流路の吸入側を連通させ、前記第１の流路の吹出側を前記空気調和機を通して前記第２の流路の吸入側に連通させ、前記第２の流路の吹出側を室内へと連通させた熱交換経路と、
前記熱交換素子の前記第１の流路をバイパスして前記循環経路を前記熱交換経路と連通させた熱交換バイパス経路とを備え、
前記熱交換バイパス経路を経由して前記熱交換経路を通る空気を、前記空気調和機で空気調和すると共に、前記散水装置により前記熱交換素子に供給された水分で加湿する
ことを特徴とする空調装置。
【請求項４】
室内より吸入され、室外へ排出される空気が通る内気排出経路を備えた
ことを特徴とする請求項１，２または３記載の空調装置。
【請求項５】
室外より吸入され、室内に給気される空気が通る外気導入経路と、
室内より吸入され、室外へ排出される空気が通る内気排出経路と、
隔絶された第１の流路を通る空気と第２の流路を通る空気との間で熱交換を行う熱交換素子と、
前記熱交換素子に給水する散水装置と、
前記熱交換素子に供給された水の余剰分を回収する回収装置と、
空気調和を行う空気調和機と、
前記外気導入経路と前記熱交換素子の前記第１の流路の吸入側を連通させ、前記第１の流路の吹出側を前記空気調和機を通して前記第２の流路の吸入側に連通させ、前記第２の流路の吹出側を室内へと連通させた熱交換経路と、
前記内気排出経路から分岐して前記熱交換経路より上流で前記外気導入経路と合流し、前記内気排出経路を通る空気の所定量を前記熱交換経路に戻す循環経路と、
前記熱交換素子の前記第１の流路をバイパスして前記外気導入経路を前記熱交換経路と連通させた熱交換バイパス経路とを備え、
前記熱交換バイパス経路を経由して前記熱交換経路を通る空気を、前記空気調和機で空気調和すると共に、前記散水装置により前記熱交換素子に供給された水分で加湿する
ことを特徴とする空調装置。
【請求項６】
室外より吸入され、室内に給気される空気が通る外気導入経路と、
隔絶された第１の流路を通る空気と第２の流路を通る空気との間で熱交換を行う熱交換素子と、
前記熱交換素子に給水する散水装置と、
前記熱交換素子に供給された水の余剰分を回収する回収装置と、
冷媒の吸熱作用で空気を冷却及び除湿すると共に、冷媒の放熱作用で空気を加熱する第１の熱交換器及び冷媒の液化及び気化を行う第２の熱交換器を有した空気調和機と、
前記外気導入経路と前記熱交換素子の前記第１の流路の吸入側を連通させ、前記第１の流路の吹出側を前記空気調和機の前記第１の熱交換器を通して前記第２の流路の吸入側に連通させ、前記第２の流路の吹出側を室内へと連通させた熱交換経路と、
前記熱交換素子の前記第１の流路をバイパスして前記外気導入経路を前記熱交換経路と連通させた熱交換バイパス経路と、
室内より吸入され、室外へ排出される空気が、前記空気調和機の前記第２の熱交換器を経由して通る内気排出経路と、
前記外気導入経路から分岐して前記第２の熱交換器より上流で前記内気排出経路と合流し、前記外気導入経路を通る空気の所定量を前記第２の熱交換器に送る外気還気経路とを備え、
前記熱交換バイパス経路を経由して前記熱交換経路を通る空気を、前記空気調和機で空気調和すると共に、前記散水装置により前記熱交換素子に供給された水分で加湿する
ことを特徴とする空調装置。
【請求項７】
前記散水装置は、前記熱交換素子と、前記空気調和機に備えられて前記熱交換経路を通る空気を冷媒の吸熱作用で冷却及び除湿すると共に冷媒の放熱作用で加熱する第１の熱交換器の双方もしくは一方に給水を行うと共に、
前記散水装置に洗浄液を供給する洗浄液供給機を備え、
前記散水装置で前記熱交換素子と前記第１の熱交換器の双方もしくは一方に洗浄液を供給して洗浄を行う
ことを特徴とする請求項１〜６に何れか記載の空調装置。
【請求項８】
前記熱交換経路より下流で分岐して室外へと連通した還気経路を備え、
前記散水装置で前記熱交換素子と前記第１の熱交換器の双方もしくは一方に洗浄液が供給された前記熱交換経路を通る空気の全量を、前記還気経路を通して室外へと排出する
ことを特徴とする請求項７記載の空調装置。
【請求項９】
前記散水装置による洗浄液の供給を停止した後に、前記熱交換経路を通る空気の全量を、前記還気経路を通して室外へと排出して、洗浄した経路を乾燥させる
ことを特徴とする請求項８記載の空調装置。
【請求項１０】
前記散水装置による給水及び前記空気調和機を停止させて前記熱交換経路を通る空気の空気調和を停止し、
前記外気導入経路により室外の空気を室内に給気すると共に、前記内気排出経路により室内の空気を室外に排出して換気を行う
ことを特徴とする請求項４〜９に何れか記載の空調装置。
【請求項１１】
前記熱交換経路をバイパスする空調バイパス経路を備え、
前記空調バイパス経路を経由して室内に給気すると共に、前記内気排出経路により室内の空気を室外に排出して換気を行う
ことを特徴とする請求項４〜９に何れか記載の空調装置。
【請求項１２】
前記内気排出経路を一体に構成した
ことを特徴とする請求項４〜１１に何れか記載の空調装置。
【請求項１３】
前記内気排出経路を独立して構成した
ことを特徴とする請求項４〜１１に何れか記載の空調装置。
【請求項１４】
空気が通る第１の流路と、
前記第１の流路と隔絶され、前記第１の流路を通る空気との間で熱交換が行われる空気が通る第２の流路と、
前記第２の流路に水分を保持する吸水部材とを備え、
前記第２の流路は、前記吸水部材を湿潤させた状態で空気を通して加湿流路として機能する
ことを特徴とする熱交換素子。
【請求項１５】
請求項１〜請求項１３に何れか記載の空調装置を備えた
ことを特徴とする建物。
【発明の詳細な説明】
【技術分野】
【０００１】
本発明は、空気を加湿して室内に給気する空調装置、熱交換素子及びこの空調装置を備えた建物に関する。
【背景技術】
【０００２】
従来より、室内機と室外機との間で冷媒を循環させ、室内機側の熱交換器を凝縮器として機能させることで、冷媒の放熱作用で空気を加熱すると共に、室内機側の熱交換器を蒸発器として機能させることで、冷媒の吸熱作用で空気を冷却する冷凍サイクルを利用したヒートポンプ型の空調装置が提案されている。
【０００３】
また、ヒートポンプ型の空調器と熱交換素子とを組み合わせて、排熱回収を行えるようにした空調装置も提案されている（例えば、特許文献１参照）。
【０００４】
【特許文献１】特許第３５０６２５１号公報
【発明の開示】
【発明が解決しようとする課題】
【０００５】
しかし、空調装置で室内の暖房を行うと、室内の環境が過乾燥になってしまうという問題がある。このため、加湿のために別途加湿器が必要であった。
【０００６】
但し、加湿器は、一般的に、冬季の暖房時における必需品であると考えられており、暖房機器を運転する時期を見計らって設置するため、春季や秋季等、冬季以外の季節では、加湿器を再度設置しなければ加湿ができないという問題があった。
【０００７】
本発明は、このような課題を解決するためになされたもので、加湿機能を有した空調装置、熱交換素子及びこの空調装置を備えた建物を提供することを目的とする。
【課題を解決するための手段】
【０００８】
上述した課題を解決するため、本発明の空調装置は、室外より吸入され、室内に給気される空気が通る外気導入経路と、隔絶された第１の流路を通る空気と第２の流路を通る空気との間で熱交換を行う熱交換素子と、熱交換素子に給水する散水装置と、熱交換素子に供給された水の余剰分を回収する回収装置と、空気調和を行う空気調和機と、外気導入経路と熱交換素子の第１の流路の吸入側を連通させ、第１の流路の吹出側を空気調和機を通して第２の流路の吸入側に連通させ、第２の流路の吹出側を室内へと連通させた熱交換経路と、熱交換素子の第１の流路をバイパスして外気導入経路を熱交換経路と連通させた熱交換バイパス経路とを備え、熱交換バイパス経路を経由して熱交換経路を通る空気を、空気調和機で空気調和すると共に、散水装置により熱交換素子に供給された水分で加湿することを特徴とする。
【０００９】
本発明の空調装置では、室外から吸入された外気が外気導入経路から熱交換素子の第１の流路をバイパスして熱交換経路へ供給される。熱交換経路では、外気が空気調和機を通って空気調和され、熱交換素子の第２の流路に供給される。
【００１０】
熱交換素子は、散水装置により給水され、第２の流路を通る空気が加湿される。これにより、熱交換を行うことなく空気調和機で調和された外気が、熱交換素子で加湿されて室内に給気される。
【００１１】
また、本発明の空調装置は、室外より吸入され、室内に給気される空気が通る外気導入経路と、隔絶された第１の流路を通る空気と第２の流路を通る空気との間で熱交換を行う熱交換素子と、熱交換素子に給水する散水装置と、熱交換素子に供給された水の余剰分を回収する回収装置と、空気調和を行う空気調和機と、外気導入経路と熱交換素子の第１の流路の吸入側を連通させ、第１の流路の吹出側を空気調和機を通して第２の流路の吸入側に連通させ、第２の流路の吹出側を室内へと連通させた熱交換経路と、室内から吸入した空気を、熱交換経路より上流で外気導入経路と合流させて熱交換経路に戻す循環経路と、熱交換素子の第１の流路をバイパスして外気導入経路を熱交換経路と連通させた熱交換バイパス経路とを備え、熱交換バイパス経路を経由して熱交換経路を通る空気を、空気調和機で空気調和すると共に、散水装置により熱交換素子に供給された水分で加湿することを特徴とする。
【００１２】
本発明の空調装置では、室外から吸入された外気が外気導入経路から熱交換素子の第１の流路をバイパスして熱交換経路へ供給される。また、室内から吸入した還気が循環経路から第１の流路をバイパスして熱交換経路に戻される。
【００１３】
熱交換経路では、室内からの還気あるいは外気と還気の混合空気が空気調和機を通って空気調和され、熱交換素子の第２の流路に供給される。
【００１４】
熱交換素子は、散水装置により給水され、第２の流路を通る空気が加湿される。これにより、熱交換を行うことなく空気調和機で調和された空気が、熱交換素子で加湿されて室内に給気される。
【００１５】
更に、本発明の空調装置は、室外より吸入され、室内に給気される空気が通る外気導入経路と、隔絶された第１の流路を通る空気と第２の流路を通る空気との間で熱交換を行う熱交換素子と、熱交換素子に給水する散水装置と、熱交換素子に供給された水の余剰分を回収する回収装置と、空気調和を行う空気調和機と、室内から吸入した空気が通る循環経路と熱交換素子の第１の流路の吸入側を連通させ、第１の流路の吹出側を空気調和機を通して第２の流路の吸入側に連通させ、第２の流路の吹出側を室内へと連通させた熱交換経路と、熱交換素子の第１の流路をバイパスして循環経路を熱交換経路と連通させた熱交換バイパス経路とを備え、熱交換バイパス経路を経由して熱交換経路を通る空気を、空気調和機で空気調和すると共に、散水装置により熱交換素子に供給された水分で加湿することを特徴とする。
【００１６】
本発明の空調装置では、室内から吸入した還気が循環経路から第１の流路をバイパスして熱交換経路に戻される。
【００１７】
熱交換経路では、室内からの還気が空気調和機を通って空気調和され、熱交換素子の第２の流路に供給される。
【００１８】
熱交換素子は、散水装置により給水され、第２の流路を通る空気が加湿される。これにより、熱交換を行うことなく空気調和機で調和された空気が、熱交換素子で加湿されて室内に給気される。
【００１９】
また、本発明の空調装置は、室外より吸入され、室内に給気される空気が通る外気導入経路と、室内より吸入され、室外へ排出される空気が通る内気排出経路と、隔絶された第１の流路を通る空気と第２の流路を通る空気との間で熱交換を行う熱交換素子と、熱交換素子に給水する散水装置と、熱交換素子に供給された水の余剰分を回収する回収装置と、空気調和を行う空気調和機と、外気導入経路と熱交換素子の第１の流路の吸入側を連通させ、第１の流路の吹出側を空気調和機を通して第２の流路の吸入側に連通させ、第２の流路の吹出側を室内へと連通させた熱交換経路と、内気排出経路から分岐して熱交換経路より上流で外気導入経路と合流し、内気排出経路を通る空気の所定量を熱交換経路に戻す循環経路と、熱交換素子の第１の流路をバイパスして外気導入経路を熱交換経路と連通させた熱交換バイパス経路とを備え、熱交換バイパス経路を経由して熱交換経路を通る空気を、空気調和機で空気調和すると共に、散水装置により熱交換素子に供給された水分で加湿することを特徴とする。
【００２０】
本発明の空調装置では、室外から吸入された外気が外気導入経路から熱交換素子の第１の流路をバイパスして熱交換経路へ供給される。また、室内から吸入した還気の所定量が内気排出経路から第１の流路をバイパスして熱交換経路に戻される。
【００２１】
熱交換経路では、外気と還気の混合空気が空気調和機を通って空気調和され、熱交換素子の第２の流路に供給される。
【００２２】
熱交換素子は、散水装置により給水され、第２の流路を通る空気が加湿される。これにより、熱交換を行うことなく空気調和機で調和された外気と還気の混合空気が、熱交換素子で加湿されて室内に給気される。
【００２３】
更に、本発明の空調装置は、室外より吸入され、室内に給気される空気が通る外気導入経路と、隔絶された第１の流路を通る空気と第２の流路を通る空気との間で熱交換を行う熱交換素子と、熱交換素子に給水する散水装置と、熱交換素子に供給された水の余剰分を回収する回収装置と、冷媒の吸熱作用で空気を冷却及び除湿すると共に、冷媒の放熱作用で空気を加熱する第１の熱交換器及び冷媒の液化及び気化を行う第２の熱交換器を有した空気調和機と、外気導入経路と熱交換素子の第１の流路の吸入側を連通させ、第１の流路の吹出側を空気調和機の第１の熱交換器を通して第２の流路の吸入側に連通させ、第２の流路の吹出側を室内へと連通させた熱交換経路と、熱交換素子の第１の流路をバイパスして外気導入経路を熱交換経路と連通させた熱交換バイパス経路と、室内より吸入され、室外へ排出される空気が、空気調和機の第２の熱交換器を経由して通る内気排出経路と、外気導入経路から分岐して第２の熱交換器より上流で内気排出経路と合流し、外気導入経路を通る空気の所定量を第２の熱交換器に送る外気還気経路とを備え、熱交換バイパス経路を経由して熱交換経路を通る空気を、空気調和機で空気調和すると共に、散水装置により熱交換素子に供給された水分で加湿することを特徴とする。
【００２４】
本発明の空調装置では、室外から吸入された外気が外気導入経路から熱交換素子の第１の流路をバイパスして熱交換経路へ供給される。熱交換経路では、外気が空気調和機を通って空気調和され、熱交換素子の第２の流路に供給される。
【００２５】
熱交換素子は、散水装置により給水され、第２の流路を通る空気が加湿される。これにより、熱交換を行うことなく空気調和機で調和された外気が、熱交換素子で加湿されて室内に給気される。
【００２６】
また、外気の所定量は、外気還気経路を経由して空気調和機の第２の熱交換器に送られ、冷媒の吸熱作用の効率を向上させる。
【００２７】
また、本発明の熱交換素子は、空気が通る第１の流路と、第１の流路と隔絶され、第１の流路を通る空気との間で熱交換が行われる空気が通る第２の流路と、第２の流路に水分を保持する吸水部材とを備え、第２の流路は、吸水部材を湿潤させた状態で空気を通して加湿流路として機能することを特徴とする。
【００２８】
本発明の熱交換素子では、吸水部材に給水されると、吸水部材は水分を保持して湿潤した状態となる。吸水部材を湿潤させた状態として第２の流路に空気を通すと、第２の流路を通る空気は加湿される。
【発明の効果】
【００２９】
本発明の熱交換素子によれば、空気を加湿することができ、このような熱交換素子を備えた本発明の空調装置によれば、調和した空気を加湿して室内に給気できるので、暖房時の過乾燥を防ぐことができる。
【００３０】
また、空気調和器の空気調和機能と、熱交換素子での加湿機能を併用することで、季節によらず、加湿器として使用することができる。更に、加湿を行いながら、室内の換気を行うことができる。
【００３１】
また、室内から吸入した還気を循環させることで、短時間で加湿を行うことでできる。
【００３２】
そして、このような空調装置を備えた建物では、快適な住空間を低コストで提供できる。
【発明を実施するための最良の形態】
【００３３】
以下、図面を参照して本発明の空調装置、熱交換素子及び建物の実施の形態について説明する。
【００３４】
＜第１の実施の形態の空調装置の構成例＞
（１）空調装置の概要
図１は、第１の実施の形態の空調装置１Ａの一例を示す構成図である。第１の実施の形態の空調装置１Ａは、空気の冷却及び加熱を行う空気調和機としてのヒートポンプ空調機２Ａと、ヒートポンプ空調機２Ａで調和される空気の温度調整及びヒートポンプ空調機２Ａで調和された空気の加湿等を行う熱交換素子３Ａを備え、室外の空気を吸入し、空気調和して室内に給気する空調機能を有する。また、空調装置１Ａは、室内の空気を吸入して室外に排出する換気機能を有する。
【００３５】
（２）ヒートポンプ空調機の構成例
ヒートポンプ空調機２Ａは、冷媒が流れる配管２０と、室内に給気する空気と冷媒との間で熱交換を行う第１の熱交換器２１と、室外に排出する空気と冷媒との間で熱交換を行う第２の熱交換器２２を備える。
【００３６】
また、ヒートポンプ空調機２Ａは、配管２０を流れる冷媒を圧縮する圧縮機２３と、配管２０を流れる冷媒を減圧する膨張弁２４と、冷媒の流れる方向を切り替える四方弁２５を備える。
【００３７】
（３）熱交換素子の構成例
熱交換素子３Ａは、空気が流れる第１の流路３０ａと、第１の流路３０ａと隔絶されて空気が流れる第２の流路３０ｂを備え、第１の流路３０ａを流れる空気と第２の流路３０ｂを流れる空気との間で熱交換が行われる。また、第２の流路３０ｂには後述する吸水部材を備え、第２の流路３０ｂを流れる空気を加湿する。
【００３８】
図２及び図３は、熱交換素子の実施の形態の一例を示す構成図で、図２（ａ）は、熱交換素子３Ａの正面図、図２（ｂ）は、熱交換素子３Ａの左側面図、図２（ｃ）は、熱交換素子３Ａの右側面図である。また、図３（ａ）は、熱交換素子３Ａの内部構成を示す図２（ａ）のＡ−Ａ断面図、図３（ｂ）は、熱交換素子３Ａの要部断面図、図３（ｃ）は、熱交換素子３Ａの要部斜視図である。
【００３９】
熱交換素子３Ａは、第１の流路３０ａと第２の流路３０ｂが、隔壁３１を挟んで交互に積層される。第１の流路３０ａは、隔壁３１の間が流路形成板３２ａによって仕切られて、複数本の平行な流路が直線状に形成される。
【００４０】
また、第２の流路３０ｂは、隔壁３１の間が流路形成板３２ｂによって仕切られて、複数本の平行な流路が、ここでは第１の流路３０ａと平行な向きで直線状に形成される。
【００４１】
隔壁３１及び流路形成板３２ａ，３２ｂは、例えば、アルミニウムや銅等の金属素材で構成される。なお、第１の流路３０ａを構成する流路形成板３２ａは、撥水性塗装を施して、水分を容易に乾燥させる構成とすると良い。
【００４２】
これに対して、第２の流路３０ｂを構成する流路形成板３２ｂは、流路に面して吸水部材３３を備える。吸水部材３３は、例えば、紙、布、不織布等の多孔性の吸水素材で構成され、供給された水分を保持する。
【００４３】
これにより、吸水部材３３に水分を供給すると、第２の流路３０ｂを流れる空気が加湿される。なお、吸水部材３３を乾燥させた状態とすれば、第２の流路３０ｂを流れる空気は加湿されない。
【００４４】
熱交換素子３Ａは、流路形成板３２ａに複数のスリット３４ａを備えると共に、流路形成板３２ｂに複数のスリット３４ｂを備える。スリット３４ａは、流路形成板３２ａを貫通して形成され、上下方向に並ぶ複数本の第１の流路３０ａを、スリット３４ａを介して連通させる。同様に、スリット３４ｂは、流路形成板３２ｂを貫通して形成され、上下方向に並ぶ複数本の第２の流路３０ｂを、スリット３４ｂを介して連通させる。
【００４５】
熱交換素子３Ａは、第１の流路３０ａの吸込口３５ａと第２の流路３０ｂの吹出口３６ｂを一方の端部側に備えると共に、第１の流路３０ａの吹出口３６ａと第２の流路３０ｂの吸込口３５ｂを他方の端部側に備える。
【００４６】
第１の流路３０ａの吸込口３５ａと、第２の流路３０ｂの吹出口３６ｂは、熱交換素子３Ａの一方の端部に、本例では上下方向に分かれて構成される。吸込口３５ａが形成される面は、第１の流路３０ａと対向する部位は開口し、第２の流路３０ｂと対向する部位は塞がれて、吸込口３５ａと第１の流路３０ａが連通する。
【００４７】
また、吹出口３６ｂが形成される面は、第２の流路３０ｂと対向する部位は開口し、第１の流路３０ａと対向する部位は塞がれて、吹出口３６ｂと第２の流路３０ｂが連通する。
【００４８】
第１の流路３０ａの吹出口３６ａと、第２の流路３０ｂの吸込口３５ｂは、熱交換素子３Ａの他方の端部に、本例では上下方向に分かれて構成される。吹出口３６ａが形成される面は、第１の流路３０ａと対向する部位は開口し、第２の流路３０ｂと対向する部位は塞がれて、吹出口３６ａと第１の流路３０ａが連通する。
【００４９】
また、吸込口３５ｂが形成される面は、第２の流路３０ｂと対向する部位は開口し、第１の流路３０ａと対向する部位は塞がれて、吸込口３５ｂと第２の流路３０ｂが連通する。
【００５０】
これにより、熱交換素子３Ａは、吸込口３５ａから吸い込まれた空気が、第１の流路３０ａを通って吹出口３６ａから吹き出す。また、吸込口３５ｂから吸い込まれた空気が、第２の流路３０ｂを通って吹出口３６ｂから吹き出す。
【００５１】
熱交換素子３Ａでは、第１の流路３０ａを流れる空気と第２の流路３０ｂを流れる空気が対向流となり、第１の流路３０ａと第２の流路３０ｂが隔壁３１で仕切られていることで、第１の流路３０ａを流れる空気と第２の流路３０ｂを流れる空気との間で熱交換が行われる。
【００５２】
このように、熱交換される空気の流れを対向流とすることで、熱交換効率が向上する。また、流路形成板にスリットを備えることで、第２の流路３０ｂでは、流路全体に確実に水分が供給されると共に、空気の流れに乱流が発生して、熱交換効率が向上する。
【００５３】
なお、熱交換素子３Ａの一端側で、吸込口３５ａと吹出口３６ｂが上下に分かれていることで、第１の流路３０ａに吸い込まれる空気と第２の流路３０ｂから吹き出す空気は混合しない。
【００５４】
同様に、熱交換素子３Ａの他端側で、吹出口３６ａと吸込口３５ｂが上下に分かれていることで、第１の流路３０ａから吹き出す空気と第２の流路３０ｂに吸い込まれる空気は混合しない。
【００５５】
（４）空気の流路の構成例
図１に戻り、空調装置１Ａは、室内に連通した第１の吸気口４１から還気ＲＡとして吸入した室内の空気を、室外に連通した排気口４２から排気ＥＡとして排出する流路を形成する内気排出経路４を備える。
【００５６】
また、室外に連通した第２の吸気口５１から吸入した外気ＯＡを、室内に連通した給気口５２から給気ＳＡとして給気する流路を形成する外気導入経路５を備える。
【００５７】
内気排出経路４は、第１の吸気口４１から空気を吸入して、排気口４２から排出する空気の流れを発生させる内気排出ファン４３を備える。また、内気排出経路４は、空気を清浄する複数のフィルタを備える。
【００５８】
例えば、内気排出経路４は、第１の吸気口４１にフィルタ４４ａを備える。また、内気排出経路４は、ヒートポンプ空調機２Ａの第２の熱交換器２２を通るため、第２の熱交換器２２の上流にもフィルタ４４ｂを備える。
【００５９】
外気導入経路５は、第２の吸気口５１から空気を吸入して、給気口５２から給気する空気の流れを発生させる外気導入ファン５３を備える。また、外気導入経路５は、空気を清浄する複数のフィルタを備える。
【００６０】
例えば、外気導入経路５は、第２の吸気口５１にフィルタ５４ａを備えると共に、給気口５２にフィルタ５４ｂを備える。
【００６１】
空調装置１Ａは、外気導入経路５の途中に上述した熱交換素子３Ａ及びヒートポンプ空調機２Ａを備える。
【００６２】
すなわち、空調装置１Ａは、外気導入経路５から分岐した空調前経路５５ａと、空調前経路５５ａより下流で外気導入経路５に合流する空調後経路５５ｂを備える。
【００６３】
空調前経路５５ａは、熱交換経路５５ｃを構成する熱交換素子３Ａの第１の流路３０ａの吸込側と連通し、空調後経路５５ｂは、熱交換経路５５ｃを構成する熱交換素子３Ａの第２の流路３０ｂの吹出側と連通する。
【００６４】
熱交換素子３Ａの第１の流路３０ａの吹出側は、ヒートポンプ空調機２Ａの第１の熱交換器２１を通る空調経路５５ｄと連通し、空調経路５５ｄは、熱交換素子３Ａの第２の流路３０ｂの吸込側と連通する。
【００６５】
これにより、熱交換経路５５ｃは、空調前経路５５ａから熱交換素子３Ａの第１の流路３０ａを通り、ヒートポンプ空調機２Ａの第１の熱交換器２１を通る空調経路５５ｄを通り、熱交換素子３Ａに戻り第１の流路３０ａと隔絶された第２の流路３０ｂを通って、空調後経路５５ｂに連通する。
【００６６】
従って、ヒートポンプ空調機２Ａは、熱交換素子３Ａの第１の流路３０ａの下流側で、かつ、第２の流路３０ｂの上流側に配置される。
【００６７】
更に、空調装置１Ａは、熱交換素子３Ａをバイパスする熱交換バイパス経路５６ａと、熱交換素子３Ａとヒートポンプ空調機２Ａをバイパスする空調バイパス経路５６ｂを備える。
【００６８】
熱交換バイパス経路５６ａは、熱交換素子３Ａの第１の流路３０ａより上流側で空調前経路５５ａから分岐し、ヒートポンプ空調機２Ａの第１の熱交換器２１の上流側で空調経路５５ｄと連通する。これにより、熱交換バイパス経路５６ａは、熱交換経路５５ｃを構成する熱交換素子３Ａの第１の流路３０ａをバイパスする。
【００６９】
空調バイパス経路５６ｂは、熱交換素子３Ａの第１の流路３０ａの上流側と第２の流路３０ｂの下流側で空調前経路５５ａと空調後経路５５ｂを連通する。これにより、空調バイパス経路５６ｂは、熱交換経路５５ｃと空調経路５５ｄをバイパスする。
【００７０】
空調装置１Ａは、第２の吸気口５１から吸入した外気ＯＡの一部を、ヒートポンプ空調機２Ａの第２の熱交換器２２の冷却に用いるための流路を形成する外気還気経路５７ａを備える。
【００７１】
外気還気経路５７ａは、熱交換素子３Ａより上流側で外気導入経路５から分岐し、ヒートポンプ空調機２Ａの第２の熱交換器２２より上流側で内気排出経路４に合流して、外気導入経路５を内気排出経路４に連通させる。
【００７２】
また、空調装置１Ａは、第１の吸気口４１から吸入した還気ＲＡの一部を外気ＯＡと混合して、熱交換素子３Ａで熱交換される前の外気ＯＡの温度調整に用いるための流路を形成する循環経路５７ｂを備える。
【００７３】
循環経路５７ｂは、第１の吸気口４１より下流側で内気排出経路４から分岐し、熱交換素子３Ａの上流側となる空調前経路５５ａより上流側で外気導入経路５と合流して、内気排出経路４を外気導入経路５に連通させる。
【００７４】
更に、空調装置１Ａは、熱交換素子３Ａ及びヒートポンプ空調機２Ａを通した外気ＯＡを、給気口５２から室内に給気せずに、室外へ排出するための流路を形成する還気経路５７ｃを備える。
【００７５】
還気経路５７ｃは、熱交換素子３Ａの下流側となる空調後経路５５ｂより下流側で外気導入経路５から分岐し、内気排出経路４と合流して、外気導入経路５を内気排出経路４に連通させる。
【００７６】
空調装置１Ａは、外気ＯＡを外気還気経路５７ａに供給するか否かの切り替えと、外気導入経路５と外気還気経路５７ａとの間における分配比等を調整する流路切替ダンパ５８ａを備える。
【００７７】
また、空調装置１Ａは、外気ＯＡあるいは外気ＯＡと還気ＲＡの混合空気を空調前経路５５ａに供給するか空調バイパス経路５６ｂに供給するかの切り替えと、空調前経路５５ａと空調バイパス経路５６ｂとの間における分配比等を調整する流路切替ダンパ５８ｂを備える。
【００７８】
更に、空調装置１Ａは、外気ＯＡあるいは外気ＯＡと還気ＲＡの混合空気を熱交換経路５５ｃに供給するか熱交換バイパス経路５６ａに供給するか等を切り替える流路切替ダンパ５８ｃを備える。
【００７９】
また、空調装置１Ａは、外気ＯＡあるいは外気ＯＡと還気ＲＡの混合空気を還気経路５７ｃに供給するか否か等を切り替える流路切替ダンパ５８ｄを備える。
【００８０】
更に、空調装置１Ａは、還気ＲＡを循環経路５７ｂに供給するか否かの切り替えと、内気排出経路４と循環経路５７ｂとの間における分配比等を調整する流路切替ダンパ５８ｅを備える。
【００８１】
（５）給排水の構成例
空調装置１Ａは、熱交換素子３Ａに水あるいは洗浄液等を供給する第１の散水装置６１ａと、ヒートポンプ空調機２Ａの第１の熱交換器２１に洗浄液等を供給する第２の散水装置６１ｂを備える。
【００８２】
また、空調装置１Ａは、第１の散水装置６１ａ及び第２の散水装置６１ｂと図示しない給水配管を接続する給水経路６２と、殺菌剤や脱スケール剤等の洗浄液を吐出する洗浄液供給機としてのディスペンサ６３と、ディスペンサ６３と給水経路６２を接続する洗浄液供給経路６４を備える。
【００８３】
空調装置１Ａでは、給水経路６２を介して第１の散水装置６１ａで熱交換素子３Ａに水が供給されると、図３に示す第２の流路３０ｂの吸水部材３３が湿潤した状態となって、第２の流路３０ｂを流れる空気が加湿される。
【００８４】
また、空調装置１Ａでは、ディスペンサ６３から洗浄液を吐出し、洗浄液供給経路６４及び給水経路６２を介して第１の散水装置６１ａで熱交換素子３Ａに洗浄液等が供給されると、室内へ給気される空気が通り結露が生じやすい第１の流路３０ａと第２の流路３０ｂが洗浄される。
【００８５】
このように、第１の散水装置６１ａは、熱交換素子３Ａの第１の流路３０ａと第２の流路３０ｂに水あるいは洗浄液を供給するため、例えば、図２に示す第１の流路３０ａの吸込口３５ａと、第２の流路３０ｂの吸込口３５ｂの上方に散水ノズル等を備える。
【００８６】
なお、熱交換素子３Ａにおいて、図３に示す吸水部材３３のみに水を供給できるようにするため、散水するノズルを切り替えられるようにしても良いし、吸水部材３３に散水するノズルを別に備えても良い。
【００８７】
空調装置１Ａでは、ディスペンサ６３から洗浄液を吐出し、洗浄液供給経路６４及び給水経路６２を介して第２の散水装置６１ｂでヒートポンプ空調機２Ａの第１の熱交換器２１に洗浄液等が供給されると、室内へ給気される空気が通り結露が生じやすい第１の熱交換器２１が洗浄される。
【００８８】
このように、第２の散水装置６１ｂは、ヒートポンプ空調機２Ａの第１の熱交換器２１の空気が通る部分の全体に洗浄液を供給するため、例えば、第１の熱交換器２１の上方に散水ノズル等を備える。
【００８９】
ここで、ディスペンサ６３に加えて、洗浄液供給経路６４に図示しない他のディスペンサを備え、スケール付着抑制剤や銀イオン（Ａｇ+）、銅イオン（Ｃｕ2+）等の金属イオンを供給できるようにして、スケール付着やカビの発生等を抑制するようにしても良い。
【００９０】
空調装置１Ａは、熱交換素子３Ａの下方とヒートポンプ空調機２Ａの第１の熱交換器２１の下方に回収装置として第１のドレンパン６５ａを備える。第１のドレンパン６５ａは、熱交換素子３Ａ及び第１の熱交換器２１で発生した結露水を捕集する。また、第１のドレンパン６５ａは、熱交換素子３Ａに供給した水の余剰分を捕集する。更に、第１のドレンパン６５ａは、熱交換素子３Ａと第１の熱交換器２１に供給した洗浄液の余剰分を捕集する。
【００９１】
空調装置１Ａは、ヒートポンプ空調機２Ａの第２の熱交換器２２の下方に回収装置として第２のドレンパン６５ｂを備える。第２のドレンパン６５ｂは、第２の熱交換器２２で発生した結露水を捕集する。
【００９２】
空調装置１Ａは、各ドレンパンで捕集した水分を排水するため、第１のドレンパン６５ａで捕集された水を排水する第１の排水経路６６ａと、第２のドレンパン６５ｂで捕集された水を排水する第２の排水経路６６ｂと、第１の排水経路６６ａと第２の排水経路６６ｂを接続して、室外に連通した第３の排水経路６６ｃを備える。
【００９３】
＜他の実施の形態の空調装置の構成例＞
図４は、第２の実施の形態の空調装置１Ｂの一例を示す構成図である。ここで、第２の実施の形態の空調装置１Ｂにおいて、第１の実施の形態の空調装置１Ａと同じ構成の部位については、同じ番号を付して説明する。
【００９４】
第２の実施の形態の空調装置１Ｂは、外気ＯＡを吸入し、ヒートポンプ空調機２Ａと熱交換素子３Ａの作用で空気調和して給気ＳＡとして室内に給気する空調機能を有すると共に、室内の空気を還気ＲＡとして吸入して、排気ＥＡとして室外に排出する換気機能を有する。
【００９５】
そして、空調装置１Ｂは、外気ＯＡと還気ＲＡとの間で熱交換を行う熱交換素子７を備えて、空気調和前の外気ＯＡを、室内からの還気ＲＡの温度に近づけて、熱交換素子３Ａ及びヒートポンプ空調機２Ａに導入する。
【００９６】
熱交換素子７は排熱回収熱交換素子の一例で、空気が流れる第１の流路７０ａと、第１の流路７０ａと隔絶されて空気が流れる第２の流路７０ｂを備え、第１の流路７０ａを流れる空気と第２の流路７０ｂを流れる空気との間で熱交換が行われる。熱交換素子７は、第１の流路７０ａと第２の流路７０ｂで空気の流れる方向が直交した直交型等と称されるものである。
【００９７】
熱交換素子７の第１の流路７０ａは、熱交換素子３Ａより上流側で外気導入経路５と連通し、熱交換素子７の第２の流路７０ｂは、ヒートポンプ空調機２Ａの第２の熱交換器２２より上流側で内気排出経路４と連通する。
【００９８】
これにより、内気排出ファン４３を作動させて室内からの還気ＲＡを吸入すると共に、外気導入ファン５３を作動させて室外から外気ＯＡを吸入すると、外気ＯＡと還気ＲＡが熱交換素子７を通り、空気調和前の外気ＯＡと、室内からの還気ＲＡとの間で熱交換が行われる。
【００９９】
なお、第２の実施の形態の空調装置１Ｂにおいて、内気排出経路４と外気導入経路５の他の構成は、第１の実施の形態の空調装置１Ａと同じで良い。また、熱交換素子３Ａ及びヒートポンプ空調機２Ａの構成及び給排水の構成も、第１の実施の形態の空調装置１Ａと同じで良い。
【０１００】
ここで、空調装置１Ａ，１Ｂは、空気の流れが対向流の熱交換素子３Ａを備える構成としたが、直交型の熱交換素子を備える構成としても良い。
【０１０１】
また、空気の給気経路にイオン発生器を備え、正イオンと負イオンを含むイオンを供給できるようにして、被空調空間や給気経路等の除菌を行えるような構成としても良い。
【０１０２】
＜各実施の形態の空調装置の動作例＞
（１）空調装置の制御の概要
第１の実施の形態の空調装置１Ａ及び第２の実施の形態の空調装置１Ｂは、熱交換素子３Ａの作用とヒートポンプ空調機２Ａの作用で、室内を除湿（冷房）しながら換気を行う除湿換気モードと、熱交換素子３Ａとヒートポンプ空調機２Ａの作用で、室内を加湿しながら暖房を行う加湿暖房モードが実行される。
【０１０３】
また、空調装置１Ａ，１Ｂは、ヒートポンプ空調機２Ａの作用で室内の暖房を行う暖房モードと、ヒートポンプ空調機２Ａの作用で室内の冷房を行う冷房モードと、室内の換気を行う換気モードが実行される。
【０１０４】
なお、第２の実施の形態の空調装置１Ｂは、外気ＯＡと還気ＲＡとの間で熱交換を行って換気を行うことができる構成であり、常時換気を行う２４時間換気装置に、熱交換素子３Ａとヒートポンプ空調機２Ａによる空調機能を付加した装置として好適である。
【０１０５】
これら各運転モードでは、風量の調整等によって冷暖房や換気能力を切り替えることが可能で、例えば「強」と「弱」の２段階に切り替えが可能である。
【０１０６】
更に、空調装置１Ａ，１Ｂは、熱交換素子３Ａとヒートポンプ空調機２Ａの第１の熱交換器２１の洗浄を行う洗浄・乾燥モードが実行される。
【０１０７】
（２）除湿換気モードの動作例
図５は、空調装置１Ａで除湿（冷房）能力を「弱」として除湿換気モードを実行した際の空気の流れを示す動作説明図である。なお、以下に示す各動作説明図において、×印は、経路が閉じられている状態を示す。また、各経路を通る空気の流量値は一例である。
【０１０８】
除湿換気モードの弱運転では、流路切替ダンパ５８ａにより外気導入経路５への流路と外気還気経路５７ａへの流路を開き、開度を調整して、外気ＯＡの所定量を外気還気経路５７ａに分配する。
【０１０９】
また、流路切替ダンパ５８ｂにより空調前経路５５ａへの流路は開くと共に空調バイパス経路５６ｂへの流路は閉じ、外気ＯＡの全量を空調前経路５５ａに供給する。
【０１１０】
更に、流路切替ダンパ５８ｃにより熱交換経路５５ｃへの流路は開くと共に熱交換バイパス経路５６ａへの流路は閉じ、外気ＯＡの全量を熱交換経路５５ｃに供給する。
【０１１１】
また、流路切替ダンパ５８ｄにより給気口５２への流路は開くと共に還気経路５７ｃへの流路は閉じ、空気調和された外気ＯＡの全量を給気口５２から給気する。
【０１１２】
更に、流路切替ダンパ５８ｅにより第１の吸気口４１から内気排出経路４への流路は開くと共に循環経路５７ｂへの流路は閉じ、還気ＲＡの全量を内気排出経路４に供給する。
【０１１３】
除湿換気モードの弱運転では、熱交換素子３Ａへの給水は行わない。これにより、図３に示す吸水部材３３は、乾燥した状態である。
【０１１４】
また、ヒートポンプ空調機２Ａは、圧縮機２３を作動させ、四方弁２５により矢印で示す方向に冷媒を流して冷凍サイクルを構成し、第１の熱交換器２１を蒸発器として機能させ、蒸発器による冷媒の吸熱作用で外気ＯＡの冷却を行う。このとき、第２の熱交換器２２は凝縮器として機能し、還気ＲＡを利用して冷媒を冷却して液化させている。
【０１１５】
以上の状態で、外気導入ファン５３を作動させると、第２の吸気口５１から外気ＯＡが吸入され、所定量の外気ＯＡが外気導入経路５から熱交換経路５５ｃへ供給される。
【０１１６】
熱交換経路５５ｃでは、熱交換素子３Ａの第１の流路３０ａを外気ＯＡが通り、第１の流路３０ａを通った外気ＯＡがヒートポンプ空調機２Ａの第１の熱交換器２１を通る。そして、冷凍サイクルの蒸発器として機能している第１の熱交換器２１を通った外気ＯＡが、熱交換素子３Ａに戻り第２の流路３０ｂを通る。
【０１１７】
熱交換素子３Ａの第２の流路３０ｂは乾燥させた状態であり、外気ＯＡは、熱交換素子３Ａを通ることで、ヒートポンプ空調機２Ａで冷却された空気との間で熱交換されて、温度が下げられる。
【０１１８】
また、ヒートポンプ空調機２Ａで冷却される空気は、熱交換素子３Ａで熱交換されて温度が下げられた外気ＯＡである。このとき、熱交換素子３Ａの第１の流路３０ａを通る外気ＯＡと、第２の流路３０ｂを通る冷却された外気ＯＡとの温度差に応じて、第１の流路３０ａを通る外気ＯＡ中の水分が結露して除湿が行われる。これにより、除湿換気モードでは、熱交換素子３Ａの第１の流路３０ａは、除湿流路として機能する。
【０１１９】
更に、外気ＯＡは、冷凍サイクルの蒸発器として機能している第１の熱交換器２１を通ることで水分が結露して除湿される。このとき、外気ＯＡは第１の熱交換器２１への導入前に温度が下げられていることから相対湿度が上昇しており、ヒートポンプ空調機２Ａによる冷却能力を上げることなく、すなわち、消費電力を増加させることなく除湿量を増加させて、夏季では高温中湿の外気ＯＡを、必要以上の温度低下を抑えた中温低湿の空気とする。
【０１２０】
そして、熱交換素子３Ａ及びヒートポンプ空調機２Ａを通って中温低湿となった外気ＯＡは、給気ＳＡとして給気口５２から室内に給気される。
【０１２１】
なお、熱交換素子３Ａ及び第１の熱交換器２１で発生した結露水は第１のドレンパン６５ａで捕集され、第１の排水経路６６ａと第３の排水経路６６ｃを介して室外へ排水される。
【０１２２】
除湿換気モードでは、内気排出ファン４３を作動させて除湿動作に換気を連動させている。すなわち、内気排出ファン４３を作動させると、第１の吸気口４１から室内の空気が還気ＲＡとして吸入される。第１の吸気口４１から吸入された還気ＲＡは、外気還気経路５７ａへ分配された一部の外気ＯＡと混合し、冷凍サイクルの凝縮器として機能している第２の熱交換器２２を通って、排気口４２から排気ＥＡとして室外へ排出される。このとき、夏季では空気調和されて温度が下げられている還気ＲＡを、凝縮器として機能している第２の熱交換器２２を通すことで、冷媒の冷却効率を向上させることが可能となる。
【０１２３】
除湿換気モードの弱運転では、以上の動作により、給排気による室内の換気を行いながら、室内を冷やし過ぎることなく、室内の除湿が可能となり、室内の相対湿度を低下させて、夏季等に涼しさを得られるようにすることができる。
【０１２４】
また、熱交換素子３Ａとヒートポンプ空調機２Ａの作用で除湿を行って、第１のドレンパン６５ａで結露水を捕集することで、給気口５２での結露の発生を防ぐことができる。そして、除湿量を増やしても空気の再加熱の必要がないので、ヒータ等が不要であり、装置構成の複雑化を防ぐことができる。
【０１２５】
なお、第２の実施の空調装置１Ｂで除湿換気モードの弱運転を行った場合、空気調和前の外気ＯＡが、熱交換素子７で還気ＲＡと熱交換されるため、夏季では、還気ＲＡの温度に応じて温度が下げられた外気ＯＡが、熱交換素子３Ａ及びヒートポンプ空調機２Ａに導入される。これにより、第２の実施の形態の空調装置１Ｂでは、ヒートポンプ空調機２Ａによる冷却能力を下げて消費電力を低下させた状態でも、除湿量を増加させて、夏季では高温中湿の外気ＯＡを、必要以上の温度低下を抑えた中温低湿の空気とすることができる。
【０１２６】
図６は、空調装置１Ａで除湿（冷房）能力を「強」として除湿換気モードを実行した際の空気の流れを示す動作説明図である。
【０１２７】
除湿換気モードの強運転では、還気ＲＡの一部を循環させ、除湿して室内に戻すことで、所望の除湿を短時間で行えるようにする。
【０１２８】
すなわち、流路切替ダンパ５８ｅにより第１の吸気口４１から内気排出経路４への流路と循環経路５７ｂへの流路を開き、開度を調整して、還気ＲＡの所定量を外気導入経路５に分配する。
【０１２９】
他の構成要素の状態は、除湿換気モードの弱運転の場合と同じであり、流路切替ダンパ５８ａにより外気導入経路５への流路と外気還気経路５７ａへの流路を開き、開度を調整して、外気ＯＡの所定量を外気還気経路５７ａに分配する。
【０１３０】
また、流路切替ダンパ５８ｂにより空調前経路５５ａへの流路は開くと共に空調バイパス経路５６ｂへの流路は閉じ、外気ＯＡと所定量の還気ＲＡの混合空気の全量を空調前経路５５ａに供給する。
【０１３１】
更に、流路切替ダンパ５８ｃにより熱交換経路５５ｃへの流路は開くと共に熱交換バイパス経路５６ａへの流路は閉じ、外気ＯＡと所定量の還気ＲＡの混合空気の全量を熱交換経路５５ｃに供給する。
【０１３２】
また、流路切替ダンパ５８ｄにより給気口５２への流路は開くと共に還気経路５７ｃへの流路は閉じ、空気調和された外気ＯＡと所定量の還気ＲＡの混合空気の全量を給気口５２から給気する。
【０１３３】
除湿換気モードの強運転でも、熱交換素子３Ａへの給水は行わない。これにより、図３に示す吸水部材３３は、乾燥した状態である。
【０１３４】
また、ヒートポンプ空調機２Ａは、圧縮機２３を作動させ、四方弁２５により矢印で示す方向に冷媒を流して冷凍サイクルを構成し、第１の熱交換器２１を蒸発器として機能させ、蒸発器による冷媒の吸熱作用で外気ＯＡと所定量の還気ＲＡの混合空気の冷却を行う。このとき、第２の熱交換器２２は凝縮器として機能する。
【０１３５】
以上の状態で、外気導入ファン５３を作動させると、第２の吸気口５１から外気ＯＡが吸入され、所定量の外気ＯＡが外気導入経路５から熱交換経路５５ｃへ供給される。
【０１３６】
また、内気排出ファン４３を作動させると、第１の吸気口４１から室内の空気が還気ＲＡとして吸入され、所定量の還気ＲＡが循環経路５７ｂから外気導入経路５へ導入されて外気ＯＡと混合され、熱交換経路５５ｃへ供給される。
【０１３７】
熱交換経路５５ｃでは、熱交換素子３Ａの第１の流路３０ａを所定量の外気ＯＡと還気ＲＡの混合空気が通り、第１の流路３０ａを通った外気ＯＡと還気ＲＡの混合空気がヒートポンプ空調機２Ａの第１の熱交換器２１を通る。そして、冷凍サイクルの蒸発器として機能している第１の熱交換器２１を通った外気ＯＡと還気ＲＡの混合空気が、熱交換素子３Ａに戻り第２の流路３０ｂを通る。
【０１３８】
熱交換素子３Ａの第２の流路３０ｂは乾燥させた状態であり、外気ＯＡと還気ＲＡの混合空気は、熱交換素子３Ａを通ることで、ヒートポンプ空調機２Ａで冷却された空気との間で熱交換されて、温度が下げられる。
【０１３９】
また、ヒートポンプ空調機２Ａで冷却される空気は、空気調和されている還気ＲＡと混合することで温度が下げられ、かつ、熱交換素子３Ａで熱交換されて温度が下げられた外気ＯＡと還気ＲＡの混合空気である。
【０１４０】
このとき、熱交換素子３Ａの第１の流路３０ａを通る外気ＯＡと還気ＲＡの混合空気と、第２の流路３０ｂを通る冷却された外気ＯＡと還気ＲＡの混合空気との温度差に応じて、第１の流路３０ａを通る外気ＯＡと還気ＲＡの混合空気中の水分が結露して除湿が行われる。これにより、熱交換素子３Ａの第１の流路３０ａは、除湿流路として機能する。
【０１４１】
更に、外気ＯＡと還気ＲＡの混合空気は、冷凍サイクルの蒸発器として機能している第１の熱交換器２１を通ることで水分が結露して除湿される。このとき、外気ＯＡと還気ＲＡの混合空気は、第１の熱交換器２１への導入前に温度が下げられていることから相対湿度が上昇しており、ヒートポンプ空調機２Ａによる冷却能力を上げることなく、すなわち、消費電力を増加させることなく除湿量を増加させて、高温中湿の外気ＯＡを、必要以上の温度低下を抑えた中温低湿の空気とする。
【０１４２】
そして、熱交換素子３Ａ及びヒートポンプ空調機２Ａを通って中温低湿となった外気ＯＡと還気ＲＡの混合空気は、給気ＳＡとして給気口５２から室内に給気される。
【０１４３】
なお、熱交換素子３Ａ及び第１の熱交換器２１で発生した結露水は第１のドレンパン６５ａで捕集されて室外へ排水される。
【０１４４】
除湿換気モードの強運転では、内気排出ファン４３を作動させることで、第１の吸気口４１から吸入された還気ＲＡの一部は、外気還気経路５７ａへ分配された一部の外気ＯＡと混合し、冷凍サイクルの凝縮器として機能している第２の熱交換器２２を通って、排気口４２から排気ＥＡとして室外へ排出される。このとき、空気調和されて温度が下げられている還気ＲＡを、凝縮器として機能している第２の熱交換器２２を通すことで、冷媒の冷却効率を向上させることが可能となる。
【０１４５】
除湿換気モードの強運転では、以上の動作により、除湿換気モードの弱運転時と同様に、給排気による室内の換気を行いながら、室内を冷やし過ぎることなく、室内の除湿が可能となる。また、熱交換素子３Ａとヒートポンプ空調機２Ａの作用で除湿を行って、第１のドレンパン６５ａで結露水を捕集することで、給気口５２での結露の発生を防ぐことができる。
【０１４６】
更に、還気ＲＡの一部を循環させ、除湿して室内に戻すことで換気風量を増加させ、所定の広さを持つ空間の除湿を短時間で行うことができる。
【０１４７】
なお、第２の実施の形態の空調装置１Ｂで除湿換気モードの強運転を行った場合でも、夏季では、還気ＲＡの温度に応じて温度が下げられた外気ＯＡと還気ＲＡとの混合空気が熱交換素子３Ａ及びヒートポンプ空調機２Ａに導入されるため、ヒートポンプ空調機２Ａの冷却能力を下げた状態で、所望の除湿換気が可能となる。
【０１４８】
ここで、除湿換気モードでは、除湿を行いながら換気を行っているため、所定時間で室内（建物内）の空気を入れ替えられるように換気風量を設定すれば、常時換気を行う２４時間換気運転が可能となり、２４時間換気を行いながら、室温を下げ過ぎることなく除湿を行って、外気が高温多湿の夏季に、室内の温度や湿度を上げることなく室内を快適な環境に保つことができる。
【０１４９】
図７は、絶対湿度と除湿量の関係を示すグラフで、グラフＧ１は、熱交換素子３Ａとヒートポンプ空調機２Ａを併用した本実施の形態の空調装置１Ａにおける除湿量を示す。グラフＧ２は、比較例として、ヒートポンプ空調機のみで除湿を行った場合の除湿量を示す。
【０１５０】
また、表１は、熱交換素子３Ａとヒートポンプ空調機２Ａを併用して除湿を行った場合と、ヒートポンプ空調機のみで除湿を行った場合の除湿量の比を示す。
【０１５１】
【表１】
2007315711.tif 000003
【０１５２】
以上の図７および表１に示すように、熱交換素子３Ａとヒートポンプ空調機２Ａを併用して除湿を行った場合、ヒートポンプ空調機のみで除湿を行った場合と比較して、除湿量が増加していることが判る。
【０１５３】
（３）加湿暖房モードの動作例
図８は、空調装置１Ａで暖房能力を「弱」として加湿暖房モードを実行した際の空気の流れを示す動作説明図である。
【０１５４】
加湿暖房モードの弱運転では、流路切替ダンパ５８ａにより外気導入経路５への流路と外気還気経路５７ａへの流路を開き、開度を調整して、外気ＯＡの所定量を外気還気経路５７ａに分配する。
【０１５５】
また、流路切替ダンパ５８ｂにより空調前経路５５ａへの流路は開くと共に空調バイパス経路５６ｂへの流路は閉じ、かつ、流路切替ダンパ５８ｃにより熱交換経路５５ｃへの流路は閉じると共に熱交換バイパス経路５６ａへの流路は開いて、外気ＯＡの全量を空調経路５５ｄに供給する。
【０１５６】
更に、流路切替ダンパ５８ｄにより給気口５２への流路は開くと共に還気経路５７ｃへの流路は閉じ、空気調和された外気ＯＡの全量を給気口５２から給気する。
【０１５７】
また、流路切替ダンパ５８ｅにより第１の吸気口４１から内気排出経路４への流路は開くと共に循環経路５７ｂへの流路は閉じ、還気ＲＡの全量を内気排出経路４に供給する。
【０１５８】
加湿暖房モードの弱運転では、給水経路６２を介して第１の散水装置６１ａにより熱交換素子３Ａへの給水を行う。これにより、図３に示す吸水部材３３は、湿潤した状態である。なお、図示しないバルブを閉じる等により、同じ給水経路６２に接続されている第２の散水装置６１ｂからの第１の熱交換器２１への給水は行わない。
【０１５９】
また、ヒートポンプ空調機２Ａは、圧縮機２３を作動させ、四方弁２５により矢印で示す方向に冷媒を流してヒートポンプを構成し、第１の熱交換器２１を凝縮器として機能させ、凝縮器による冷媒の放熱作用で外気ＯＡの加熱を行う。このとき、第２の熱交換器２２は蒸発器として機能し、還気ＲＡと外気ＯＡの一部を利用して冷媒を気化させている。
【０１６０】
以上の状態で、外気導入ファン５３を作動させると、第２の吸気口５１から外気ＯＡが吸入され、所定量の外気ＯＡが外気導入経路５から熱交換素子３Ａの第１の流路３０ａをバイパスして空調経路５５ｄへ供給される。
【０１６１】
空調経路５５ｄへ供給された外気ＯＡは、ヒートポンプの凝縮器として機能しているヒートポンプ空調機２Ａの第１の熱交換器２１を通ることで加熱され、熱交換素子３Ａの第２の流路３０ｂを通る。
【０１６２】
熱交換素子３Ａの第２の流路３０ｂは、図３に示す吸水部材３３が湿潤した状態であることから、熱交換素子３Ａの第２の流路３０ｂを通る加熱された外気ＯＡは加湿される。これにより、加湿暖房モードでは、熱交換素子３Ａの第２の流路３０ｂは、加湿流路として機能する。
【０１６３】
ここで、加湿暖房モードでは、熱交換素子３Ａの第１の流路３０ａをバイパスすることで、冬季では温度が低い外気ＯＡと、ヒートポンプ空調機２Ａで加熱された空気との間で熱交換が行われない。
【０１６４】
これにより、ヒートポンプ空調機２Ａで加熱された外気ＯＡの温度低下を防ぎ、低温低湿の外気ＯＡを、中温高湿の空気とする。
【０１６５】
そして、ヒートポンプ空調機２Ａ及び熱交換素子３Ａを通って中温高湿となった外気ＯＡは、給気ＳＡとして給気口５２から室内に給気される。
【０１６６】
なお、熱交換素子３Ａに供給された水の余剰分は、第１のドレンパン６５ａで捕集され、第１の排水経路６６ａと第３の排水経路６６ｃを介して室外へ排水される。
【０１６７】
加湿暖房モードでは、内気排出ファン４３を作動させて加湿暖房動作に換気を連動させても良い。すなわち、内気排出ファン４３を作動させると、第１の吸気口４１から室内の空気が還気ＲＡとして吸入される。第１の吸気口４１から吸入された還気ＲＡは、外気還気経路５７ａへ分配された一部の外気ＯＡと混合し、ヒートポンプの蒸発器として機能している第２の熱交換器２２を通って、排気口４２から排気ＥＡとして室外へ排出される。このとき、冬季では、空気調和されて温度が上げられている還気ＲＡを、蒸発器として機能している第２の熱交換器２２を通すことで、霜の発生を防ぐ。なお、第２の熱交換器２２で発生した結露水は、第２のドレンパン６５ｂで捕集され、第２の排水経路６６ｂと第３の排水経路６６ｃを介して室外へ排水される。
【０１６８】
加湿暖房モードの弱運転では、以上の動作により、室内の温度を所定の温度に制御しながら、室内の加湿が可能となり、別の加湿装置を設置することなく、室内の過乾燥を防ぐことができる。よって、冬季だけでなく、冬季以外の春季や秋季に空調装置１Ａを使用して、室内の加湿を行うことができる。また、給排気による室内の換気と連動させることも可能である。
【０１６９】
なお、第２の実施の形態の空調装置１Ｂで加湿暖房モードの弱運転を行った場合、空気調和前の外気ＯＡが、熱交換素子７で還気ＲＡと熱交換されるため、冬季では、還気ＲＡの温度に応じて温度が上げられた外気ＯＡが、ヒートポンプ空調機２Ａ及び熱交換素子３Ａに導入される。これにより、ヒートポンプ空調機２Ａの暖房能力を下げても、所望の加湿暖房が可能となり、消費電力を抑えることができる。
【０１７０】
図９は、空調装置１Ａで暖房能力を「強」として加湿暖房モードを実行した際の空気の流れを示す動作説明図である。
【０１７１】
加湿暖房モードの強運転では、還気ＲＡの一部を循環させ、加湿暖房して室内に戻すことで、暖房を短時間で行えるようにする。
【０１７２】
すなわち、流路切替ダンパ５８ｅにより第１の吸気口４１から内気排出経路４への流路と循環経路５７ｂへの流路を開き、開度を調整して、還気ＲＡの所定量を外気導入経路５に分配する。
【０１７３】
他の構成要素の状態は、加湿暖房モードの弱運転の場合と同じであり、流路切替ダンパ５８ａにより外気導入経路５への流路と外気還気経路５７ａへの流路を開き、開度を調整して、外気ＯＡの所定量を外気還気経路５７ａに分配する。
【０１７４】
また、流路切替ダンパ５８ｂにより空調前経路５５ａへの流路は開くと共に空調バイパス経路５６ｂへの流路は閉じ、かつ、流路切替ダンパ５８ｃにより熱交換経路５５ｃへの流路は閉じると共に熱交換バイパス経路５６ａへの流路は開いて、外気ＯＡと所定量の還気ＲＡの混合空気の全量を空調経路５５ｄに供給する。
【０１７５】
更に、流路切替ダンパ５８ｄにより給気口５２への流路は開くと共に還気経路５７ｃへの流路は閉じ、空気調和された外気ＯＡと還気ＲＡの混合空気の全量を給気口５２から給気する。
【０１７６】
加湿暖房モードの強運転でも、給水経路６２を介して第１の散水装置６１ａにより熱交換素子３Ａへの給水を行う。これにより、図３に示す吸水部材３３は、湿潤した状態である。なお、第１の熱交換器２１への給水は行わない。
【０１７７】
また、ヒートポンプ空調機２Ａは、圧縮機２３を作動させ、四方弁２５により矢印で示す方向に冷媒を流してヒートポンプを構成し、第１の熱交換器２１を凝縮器として機能させ、凝縮器による冷媒の放熱作用で外気ＯＡと還気ＲＡの混合空気の加熱を行う。このとき、第２の熱交換器２２は蒸発器として機能する。
【０１７８】
以上の状態で、外気導入ファン５３を作動させると、第２の吸気口５１から外気ＯＡが吸入され、所定量の外気ＯＡが外気導入経路５から熱交換素子３Ａの第１の流路３０ａをバイパスして空調経路５５ｄへ供給される。
【０１７９】
また、内気排出ファン４３を作動させると、第１の吸気口４１から室内の空気が還気ＲＡとして吸入され、所定量の還気ＲＡが循環経路５７ｂから外気導入経路５へ導入されて外気ＯＡと混合され、熱交換素子３Ａの第１の流路３０ａをバイパスして空調経路５５ｄへ供給される。
【０１８０】
空調経路５５ｄへ供給された外気ＯＡと還気ＲＡの混合空気は、ヒートポンプの凝縮器として機能しているヒートポンプ空調機２Ａの第１の熱交換器２１を通ることで加熱され、熱交換素子３Ａの第２の流路３０ｂを通る。
【０１８１】
熱交換素子３Ａの第２の流路３０ｂは、図３に示す吸水部材３３が湿潤した状態であることから、熱交換素子３Ａの第２の流路３０ｂを通る加熱された外気ＯＡと還気ＲＡの混合空気は加湿される。これにより、熱交換素子３Ａの第２の流路３０ｂは加湿流路として機能する。
【０１８２】
ここで、加湿暖房モードでは、熱交換素子３Ａの第１の流路３０ａをバイパスすることで、冬季では温度が低い外気ＯＡと、ヒートポンプ空調機２Ａで加熱された空気との間で熱交換が行われない。
【０１８３】
また、加湿暖房モードの強運転では、還気ＲＡを循環させて外気ＯＡと混合させていることで、冬季では、空気調和されて暖められている還気ＲＡが外気ＯＡに混合されて、外気ＯＡが温められる。
【０１８４】
これにより、ヒートポンプ空調機２Ａで加熱された外気ＯＡと還気ＲＡの混合空気の温度低下を防ぎ、低温低湿の外気ＯＡを、中温高湿の空気とする。
【０１８５】
そして、ヒートポンプ空調機２Ａ及び熱交換素子３Ａを通って中温高湿となった外気ＯＡと還気ＲＡの混合空気は、給気ＳＡとして給気口５２から室内に給気される。
【０１８６】
なお、熱交換素子３Ａに供給された水の余剰分は、第１のドレンパン６５ａで捕集されて室外へ排水される。
【０１８７】
加湿暖房モードの強運転では、内気排出ファン４３を作動させることで、第１の吸気口４１から吸入された還気ＲＡの一部は、外気還気経路５７ａへ分配された一部の外気ＯＡと混合し、ヒートポンプの蒸発器として機能している第２の熱交換器２２を通って、排気口４２から排気ＥＡとして室外へ排出される。このとき、冬季では、空気調和されて温度が上げられている還気ＲＡを、蒸発器として機能している第２の熱交換器２２を通すことで、霜の発生を防ぐ。なお、第２の熱交換器２２で発生した結露水は、第２のドレンパン６５ｂで捕集されて室外へ排水される。
【０１８８】
加湿暖房モードの強運転では、以上の動作により、加湿暖房モードの弱運転時と同様に、室内の温度を所定の温度に制御しながら、室内の加湿が可能となる。
【０１８９】
また、還気ＲＡの一部を循環させ、加湿暖房して室内に戻すことで換気風量を増加させ、所定の広さを持つ空間の暖房を短時間で行うことができる。
【０１９０】
なお、第２の実施の形態の空調装置１Ｂで加湿暖房モードの強運転を行った場合でも、冬季では、還気ＲＡの温度に応じて温度が上げられた外気ＯＡと還気ＲＡとの混合空気がヒートポンプ空調機２Ａ及び熱交換素子３Ａに導入されるため、ヒートポンプ空調機２Ａの暖房能力を下げた状態で、所望の加湿暖房が可能となる。
【０１９１】
以上説明した加湿暖房モードでは、洗浄液供給経路６４に備えた図示しない他のディスペンサからスケール付着抑制剤や銀イオン（Ａｇ+）、銅イオン（Ｃｕ2+）等の金属イオンを熱交換素子３Ａに供給することで、スケール付着やカビの発生等を抑制して、室内に臭気が給気されることを抑制することができる。
【０１９２】
ここで、加湿暖房モードでは、加湿暖房を行いながら換気を行っているため、所定時間で室内（建物内）の空気を入れ替えられるように換気風量を設定すれば、常時換気を行う２４時間換気運転が可能となり、２４時間換気を行いながら加湿を行うことで、外気が低温低湿の冬季に、室内の温度や湿度を低下させることなく空気調和が可能である。
【０１９３】
（４）暖房モードの動作例
図１０は、空調装置１Ａで暖房能力を「弱」として暖房モードを実行した際の空気の流れを示す動作説明図である。
【０１９４】
暖房モードの弱運転では、各ダンパの開閉状態は加湿暖房モードの弱運転時と同じであり、流路切替ダンパ５８ａにより外気導入経路５への流路と外気還気経路５７ａへの流路を開き、開度を調整して、外気ＯＡの所定量を外気還気経路５７ａに分配する。
【０１９５】
また、流路切替ダンパ５８ｂにより空調前経路５５ａへの流路は開くと共に空調バイパス経路５６ｂへの流路は閉じ、かつ、流路切替ダンパ５８ｃにより熱交換経路５５ｃへの流路は閉じると共に熱交換バイパス経路５６ａへの流路は開いて、外気ＯＡの全量を空調経路５５ｄに供給する。
【０１９６】
更に、流路切替ダンパ５８ｄにより給気口５２への流路は開くと共に還気経路５７ｃへの流路は閉じ、空気調和された外気ＯＡの全量を給気口５２から給気する。
【０１９７】
また、流路切替ダンパ５８ｅにより第１の吸気口４１から内気排出経路４への流路は開くと共に循環経路５７ｂへの流路は閉じ、還気ＲＡの全量を内気排出経路４に供給する。
【０１９８】
暖房モードの弱運転では、加湿を行わないことで、熱交換素子３Ａへの給水は行わない。これにより、図３に示す吸水部材３３は、乾燥した状態である。
【０１９９】
また、ヒートポンプ空調機２Ａは、圧縮機２３を作動させ、四方弁２５により矢印で示す方向に冷媒を流してヒートポンプを構成し、第１の熱交換器２１を凝縮器として機能させ、凝縮器による冷媒の放熱作用で外気ＯＡの加熱を行う。このとき、第２の熱交換器２２は蒸発器として機能する。
【０２００】
以上の状態で、外気導入ファン５３を作動させると、第２の吸気口５１から外気ＯＡが吸入され、所定量の外気ＯＡが外気導入経路５から熱交換素子３Ａの第１の流路３０ａをバイパスして空調経路５５ｄへ供給される。
【０２０１】
空調経路５５ｄへ供給された外気ＯＡは、ヒートポンプの凝縮器として機能しているヒートポンプ空調機２Ａの第１の熱交換器２１を通ることで加熱され、熱交換素子３Ａの第２の流路３０ｂを通る。
【０２０２】
熱交換素子３Ａの第２の流路３０ｂは、図３に示す吸水部材３３が乾燥した状態であることから、熱交換素子３Ａの第２の流路３０ｂを通る加熱された外気ＯＡは湿度が変化しない。
【０２０３】
ここで、暖房モードでは、熱交換素子３Ａの第１の流路３０ａをバイパスすることで、冬季では温度が低い外気ＯＡと、ヒートポンプ空調機２Ａで加熱された空気との間で熱交換が行われない。
【０２０４】
これにより、ヒートポンプ空調機２Ａで加熱された外気ＯＡの温度低下を防ぎ、低温の外気ＯＡを、中温の空気とする。
【０２０５】
そして、ヒートポンプ空調機２Ａ及び熱交換素子３Ａを通って中温となった外気ＯＡは、給気ＳＡとして給気口５２から室内に給気される。
【０２０６】
暖房モードでは、内気排出ファン４３を作動させて暖房動作に換気を連動させても良い。すなわち、内気排出ファン４３を作動させると、第１の吸気口４１から室内の空気が還気ＲＡとして吸入される。第１の吸気口４１から吸入された還気ＲＡは、外気還気経路５７ａへ分配された一部の外気ＯＡと混合し、ヒートポンプの蒸発器として機能している第２の熱交換器２２を通って、排気口４２から排気ＥＡとして室外へ排出される。このとき、冬季では、空気調和されて温度が上げられている還気ＲＡを、蒸発器として機能している第２の熱交換器２２を通すことで、霜の発生を防ぐ。なお、第２の熱交換器２２で発生した結露水は、第２のドレンパン６５ｂで捕集されて室外へ排水される。
【０２０７】
暖房モードの弱運転では、以上の動作により、室内の温度を所定の温度に加温制御することが可能となる。
【０２０８】
なお、第２の実施の形態の空調装置１Ｂで暖房モードの弱運転を行った場合、空気調和前の外気ＯＡが、熱交換素子７で還気ＲＡと熱交換されるため、冬季では、還気ＲＡの温度に応じて温度が上げられた外気ＯＡが、ヒートポンプ空調機２Ａに導入される。これにより、ヒートポンプ空調機２Ａの暖房能力を下げても、所望の暖房が可能となり、消費電力を抑えることができる。
【０２０９】
図１１は、空調装置１Ａで暖房能力を「強」として暖房モードを実行した際の空気の流れを示す動作説明図である。
【０２１０】
暖房モードの強運転では、還気ＲＡの一部を循環させ、加熱して室内に戻すことで、暖房を短時間で行えるようにする。
【０２１１】
すなわち、流路切替ダンパ５８ｅにより第１の吸気口４１から内気排出経路４への流路と循環経路５７ｂへの流路を開き、開度を調整して、還気ＲＡの所定量を外気導入経路５に分配する。
【０２１２】
他の構成要素の状態は、暖房モードの弱運転の場合と同じであり、流路切替ダンパ５８ａにより外気導入経路５への流路と外気還気経路５７ａへの流路を開き、開度を調整して、外気ＯＡの所定量を外気還気経路５７ａに分配する。
【０２１３】
また、流路切替ダンパ５８ｂにより空調前経路５５ａへの流路は開くと共に空調バイパス経路５６ｂへの流路は閉じ、かつ、流路切替ダンパ５８ｃにより熱交換経路５５ｃへの流路は閉じると共に熱交換バイパス経路５６ａへの流路は開いて、外気ＯＡと所定量の還気ＲＡの混合空気の全量を空調経路５５ｄに供給する。
【０２１４】
更に、流路切替ダンパ５８ｄにより給気口５２への流路は開くと共に還気経路５７ｃへの流路は閉じ、空気調和された外気ＯＡと還気ＲＡの混合空気の全量を給気口５２から給気する。
【０２１５】
暖房モードの強運転でも、加湿を行わないことで、熱交換素子３Ａへの給水は行わない。これにより、図３に示す吸水部材３３は、乾燥した状態である。
【０２１６】
また、ヒートポンプ空調機２Ａは、圧縮機２３を作動させ、四方弁２５により矢印で示す方向に冷媒を流してヒートポンプを構成し、第１の熱交換器２１を凝縮器として機能させ、凝縮器による冷媒の放熱作用で外気ＯＡと還気ＲＡの混合空気の加熱を行う。このとき、第２の熱交換器２２は蒸発器として機能する。
【０２１７】
以上の状態で、外気導入ファン５３を作動させると、第２の吸気口５１から外気ＯＡが吸入され、所定量の外気ＯＡが外気導入経路５から熱交換素子３Ａの第１の流路３０ａをバイパスして空調経路５５ｄへ供給される。
【０２１８】
また、内気排出ファン４３を作動させると、第１の吸気口４１から室内の空気が還気ＲＡとして吸入され、所定量の還気ＲＡが循環経路５７ｂから外気導入経路５へ導入されて外気ＯＡと混合され、熱交換素子３Ａの第１の流路３０ａをバイパスして空調経路５５ｄへ供給される。
【０２１９】
空調経路５５ｄへ供給された外気ＯＡと還気ＲＡの混合空気は、ヒートポンプの凝縮器として機能しているヒートポンプ空調機２Ａの第１の熱交換器２１を通ることで加熱され、熱交換素子３Ａの第２の流路３０ｂを通る。
【０２２０】
熱交換素子３Ａの第２の流路３０ｂは、図３に示す吸水部材３３が乾燥した状態であることから、熱交換素子３Ａの第２の流路３０ｂを通る加熱された外気ＯＡと還気ＲＡの混合空気は湿度が変化しない。
【０２２１】
ここで、暖房モードでは、熱交換素子３Ａの第１の流路３０ａをバイパスすることで、冬季で温度が低い外気ＯＡと、ヒートポンプ空調機２Ａで加熱された空気との間で熱交換が行われない。
【０２２２】
また、暖房モードの強運転では、還気ＲＡを循環させて外気ＯＡと混合させていることで、冬季では、空気調和されて暖められている還気ＲＡが外気ＯＡに混合されて、外気ＯＡが温められる。
【０２２３】
これにより、ヒートポンプ空調機２Ａで加熱された外気ＯＡと還気ＲＡの混合空気の温度低下を防ぎ、低温の外気ＯＡを、中温の空気とする。
【０２２４】
そして、ヒートポンプ空調機２Ａ及び熱交換素子３Ａを通って中温となった外気ＯＡと還気ＲＡの混合空気は、給気ＳＡとして給気口５２から室内に給気される。
【０２２５】
暖房モードの強運転では、内気排出ファン４３を作動させることで、第１の吸気口４１から吸入された還気ＲＡの一部は、外気還気経路５７ａへ分配された一部の外気ＯＡと混合し、ヒートポンプの蒸発器として機能している第２の熱交換器２２を通って、排気口４２から排気ＥＡとして室外へ排出される。このとき、冬季では、空気調和されて温度が上げられている還気ＲＡを、蒸発器として機能している第２の熱交換器２２を通すことで、霜の発生を防ぐ。なお、第２の熱交換器２２で発生した結露水は、第２のドレンパン６５ｂで捕集されて室外へ排水される。
【０２２６】
暖房モードの強運転では、以上の動作により、還気ＲＡの一部を循環させ、加熱して室内に戻すことで換気風量を増加させ、所定の広さを持つ空間の暖房を短時間で行うことができる。
【０２２７】
なお、第２の実施の形態の空調装置１Ｂで暖房モードの強運転を行った場合でも、冬季では、還気ＲＡの温度に応じて温度が上げられた外気ＯＡと還気ＲＡとの混合空気がヒートポンプ空調機２Ａに導入されるため、ヒートポンプ空調機２Ａの暖房能力を下げた状態で、所望の加湿暖房が可能となる。
【０２２８】
（５）冷房モードの動作例
図１２は、空調装置１Ａで冷房能力を「弱」として冷房モードを実行した際の空気の流れを示す動作説明図である。
【０２２９】
冷房モードの弱運転では、流路切替ダンパ５８ａにより外気導入経路５への流路と外気還気経路５７ａへの流路を開き、開度を調整して、外気ＯＡの所定量を外気還気経路５７ａに分配する。
【０２３０】
また、流路切替ダンパ５８ｂにより空調前経路５５ａへの流路は開くと共に空調バイパス経路５６ｂへの流路は閉じ、かつ、流路切替ダンパ５８ｃにより熱交換経路５５ｃへの流路は閉じると共に熱交換バイパス経路５６ａへの流路は開いて、外気ＯＡの全量を空調経路５５ｄに供給する。
【０２３１】
更に、流路切替ダンパ５８ｄにより給気口５２への流路は開くと共に還気経路５７ｃへの流路は閉じ、空気調和された外気ＯＡの全量を給気口５２から給気する。
【０２３２】
また、流路切替ダンパ５８ｅにより第１の吸気口４１から内気排出経路４への流路は開くと共に循環経路５７ｂへの流路は閉じ、還気ＲＡの全量を内気排出経路４に供給する。
【０２３３】
冷房モードの弱運転では、熱交換素子３Ａへの給水は行わない。これにより、図３に示す吸水部材３３は、乾燥した状態である。
【０２３４】
また、ヒートポンプ空調機２Ａは、圧縮機２３を作動させ、四方弁２５により矢印で示す方向に冷媒を流して冷凍サイクルを構成し、第１の熱交換器２１を蒸発器として機能させ、蒸発器による冷媒の吸熱作用で外気ＯＡの冷却を行う。このとき、第２の熱交換器２２は凝縮器として機能する。
【０２３５】
以上の状態で、外気導入ファン５３を作動させると、第２の吸気口５１から外気ＯＡが吸入され、所定量の外気ＯＡが外気導入経路５から熱交換素子３Ａの第１の流路３０ａをバイパスして空調経路５５ｄへ供給される。
【０２３６】
空調経路５５ｄへ供給された外気ＯＡは、冷凍サイクルの蒸発器として機能しているヒートポンプ空調機２Ａの第１の熱交換器２１を通ることで冷却され、熱交換素子３Ａの第２の流路３０ｂを通る。
【０２３７】
なお、第１の熱交換器２１で発生した結露水は、第１のドレンパン６５ａで捕集されて室外へ排水される。
【０２３８】
熱交換素子３Ａの第２の流路３０ｂは、図３に示す吸水部材３３が乾燥した状態であることから、熱交換素子３Ａの第２の流路３０ｂを通る冷却された外気ＯＡは湿度が変化しない。
【０２３９】
ここで、冷房モードでは、熱交換素子３Ａの第１の流路３０ａをバイパスすることで、夏季で温度が高い外気ＯＡと、ヒートポンプ空調機２Ａで冷却された空気との間で熱交換が行われない。
【０２４０】
これにより、ヒートポンプ空調機２Ａで冷却された外気ＯＡの温度上昇を防ぎ、高温の外気ＯＡを、中温あるいは低温の空気とする。
【０２４１】
そして、ヒートポンプ空調機２Ａ及び熱交換素子３Ａを通って中温あるいは低温となった外気ＯＡは、給気ＳＡとして給気口５２から室内に給気される。
【０２４２】
冷房モードでは、内気排出ファン４３を作動させて冷房動作に換気を連動させても良い。すなわち、内気排出ファン４３を作動させると、第１の吸気口４１から室内の空気が還気ＲＡとして吸入される。第１の吸気口４１から吸入された還気ＲＡは、外気還気経路５７ａへ分配された一部の外気ＯＡと混合し、冷凍サイクルの凝縮器として機能している第２の熱交換器２２を通って、排気口４２から排気ＥＡとして室外へ排出される。このとき、夏季では、空気調和されて温度が下げられている還気ＲＡを、凝縮器として機能している第２の熱交換器２２を通すことで、冷媒の冷却能力を向上させる。
【０２４３】
冷房モードの弱運転では、以上の動作により、所望の温度の冷風を得ることが可能となる。
【０２４４】
なお、第２の実施の形態の空調装置１Ｂで冷房モードの弱運転を行った場合、空気調和前の外気ＯＡが、熱交換素子７で還気ＲＡと熱交換されるため、夏季では、還気ＲＡの温度に応じて温度が下げられた外気ＯＡが、ヒートポンプ空調機２Ａに導入される。これにより、ヒートポンプ空調機２Ａの冷房能力を下げても、所望の冷房が可能となり、消費電力を抑えることができる。
【０２４５】
図１３は、空調装置１Ａで冷房能力を「強」として冷房モードを実行した際の空気の流れを示す動作説明図である。
【０２４６】
冷房モードの強運転では、還気ＲＡの一部を循環させ、冷却して室内に戻すことで、冷房を短時間で行えるようにする。
【０２４７】
すなわち、流路切替ダンパ５８ｅにより第１の吸気口４１から内気排出経路４への流路と循環経路５７ｂへの流路を開き、開度を調整して、還気ＲＡの所定量を外気導入経路５に分配する。
【０２４８】
他の構成要素の状態は、冷房モードの弱運転の場合と同じであり、流路切替ダンパ５８ａにより外気導入経路５への流路と外気還気経路５７ａへの流路を開き、開度を調整して、外気ＯＡの所定量を外気還気経路５７ａに分配する。
【０２４９】
また、流路切替ダンパ５８ｂにより空調前経路５５ａへの流路は開くと共に空調バイパス経路５６ｂへの流路は閉じ、かつ、流路切替ダンパ５８ｃにより熱交換経路５５ｃへの流路は閉じると共に熱交換バイパス経路５６ａへの流路は開いて、外気ＯＡと所定量の還気ＲＡの混合空気の全量を空調経路５５ｄに供給する。
【０２５０】
更に、流路切替ダンパ５８ｄにより給気口５２への流路は開くと共に還気経路５７ｃへの流路は閉じ、空気調和された外気ＯＡと還気ＲＡの混合空気の全量を給気口５２から給気する。
【０２５１】
冷房モードの強運転でも、熱交換素子３Ａへの給水は行わない。これにより、図３に示す吸水部材３３は、乾燥した状態である。
【０２５２】
また、ヒートポンプ空調機２Ａは、圧縮機２３を作動させ、四方弁２５により矢印で示す方向に冷媒を流して冷凍サイクルを構成し、第１の熱交換器２１を蒸発器として機能させ、蒸発器による冷媒の吸熱作用で外気ＯＡと還気ＲＡの混合空気の冷却を行う。このとき、第２の熱交換器２２は凝縮器として機能する。
【０２５３】
以上の状態で、外気導入ファン５３を作動させると、第２の吸気口５１から外気ＯＡが吸入され、所定量の外気ＯＡが外気導入経路５から熱交換素子３Ａの第１の流路３０ａをバイパスして空調経路５５ｄへ供給される。
【０２５４】
また、内気排出ファン４３を作動させると、第１の吸気口４１から室内の空気が還気ＲＡとして吸入され、所定量の還気ＲＡが循環経路５７ｂから外気導入経路５へ導入されて外気ＯＡと混合され、熱交換素子３Ａの第１の流路３０ａをバイパスして空調経路５５ｄへ供給される。
【０２５５】
空調経路５５ｄへ供給された外気ＯＡと還気ＲＡの混合空気は、冷凍サイクルの蒸発器として機能しているヒートポンプ空調機２Ａの第１の熱交換器２１を通ることで冷却され、熱交換素子３Ａの第２の流路３０ｂを通る。
【０２５６】
なお、第１の熱交換器２１で発生した結露水は、第１のドレンパン６５ａで捕集されて室外へ排水される。
【０２５７】
熱交換素子３Ａの第２の流路３０ｂは、図３に示す吸水部材３３が乾燥した状態であることから、熱交換素子３Ａの第２の流路３０ｂを通る冷却された外気ＯＡと還気ＲＡの混合空気は湿度が変化しない。
【０２５８】
ここで、冷房モードでは、熱交換素子３Ａの第１の流路３０ａをバイパスすることで、夏季で温度が高い外気ＯＡと、ヒートポンプ空調機２Ａで冷却された空気との間で熱交換が行われない。
【０２５９】
また、冷房モードの強運転では、還気ＲＡを循環させて外気ＯＡと混合させていることで、夏季では、空気調和されて冷却されている還気ＲＡが外気ＯＡに混合されて、外気ＯＡが冷却される。
【０２６０】
これにより、ヒートポンプ空調機２Ａで冷却された外気ＯＡと還気ＲＡの混合空気の温度上昇を防ぎ、高温の外気ＯＡを、中温あるいは低温の空気とする。
【０２６１】
そして、ヒートポンプ空調機２Ａ及び熱交換素子３Ａを通って中温あるいは低温となった外気ＯＡと還気ＲＡの混合空気は、給気ＳＡとして給気口５２から室内に給気される。
【０２６２】
冷房モードの強運転では、内気排出ファン４３を作動させることで、第１の吸気口４１から吸入された還気ＲＡの一部は、外気還気経路５７ａへ分配された一部の外気ＯＡと混合し、冷凍サイクルの凝縮器として機能している第２の熱交換器２２を通って、排気口４２から排気ＥＡとして室外へ排出される。このとき、夏季では、空気調和されて温度が下げられている還気ＲＡを、凝縮器として機能している第２の熱交換器２２を通すことで、冷媒の冷却能力を向上させる。
【０２６３】
冷房モードの弱運転では、以上の動作により、還気ＲＡの一部を循環させ、冷却して室内に戻すことで換気風量を増加させ、所定の広さを持つ空間の冷房を短時間で行うことができる。
【０２６４】
なお、第２の実施の形態の空調装置１Ｂで冷房モードの強運転を行った場合でも、夏季では、還気ＲＡの温度に応じて温度が下げられた外気ＯＡと還気ＲＡとの混合空気がヒートポンプ空調機２Ａに導入されるため、ヒートポンプ空調機２Ａの冷房能力を下げた状態で、所望の冷房が可能となる。
【０２６５】
（６）換気モードの動作例
図１４は、空調装置１Ａで換気能力を「弱」として換気モードを実行した際の空気の流れを示す動作説明図である。
【０２６６】
換気モードの弱運転では、流路切替ダンパ５８ａにより外気導入経路５への流路は開くと共に外気還気経路５７ａへの流路は閉じ、外気ＯＡの全量を外気導入経路５に供給する。
【０２６７】
また、流路切替ダンパ５８ｂにより空調前経路５５ａへの流路は開くと共に空調バイパス経路５６ｂへの流路は閉じ、外気ＯＡの全量を空調前経路５５ａに供給する。
【０２６８】
更に、流路切替ダンパ５８ｃにより熱交換経路５５ｃへの流路は開くと共に熱交換バイパス経路５６ａへの流路は閉じ、外気ＯＡの全量を熱交換経路５５ｃに供給する。
【０２６９】
また、流路切替ダンパ５８ｄにより給気口５２への流路は開くと共に還気経路５７ｃへの流路は閉じ、外気ＯＡの全量を給気口５２から給気する。
【０２７０】
更に、流路切替ダンパ５８ｅにより第１の吸気口４１から内気排出経路４への流路は開くと共に循環経路５７ｂへの流路は閉じ、還気ＲＡの全量を内気排出経路４に供給する。
【０２７１】
換気モードの弱運転では、熱交換素子３Ａへの給水は行わない。これにより、図３に示す吸水部材３３は、乾燥した状態である。また、ヒートポンプ空調機２Ａは、圧縮機２３を停止させ、作動させていない。
【０２７２】
以上の状態で、外気導入ファン５３を作動させると、第２の吸気口５１から外気ＯＡが吸入され、吸入した全量の外気ＯＡが外気導入経路５から熱交換経路５５ｃへ供給される。
【０２７３】
熱交換経路５５ｃでは、熱交換素子３Ａ及びヒートポンプ空調機２Ａを機能させていないことから、外気ＯＡは空気調和されず、給気ＳＡとして給気口５２から室内に給気される。
【０２７４】
内気排出ファン４３を作動させると、第１の吸気口４１から室内の空気が還気ＲＡとして吸入される。第１の吸気口４１から吸入された還気ＲＡは、排気口４２から排気ＥＡとして室外へ排出される。
【０２７５】
図１５は、空調装置１Ａで換気能力を「弱」として換気モードを実行した際の他の実施の形態を示す動作説明図である。
【０２７６】
他の実施の形態の換気モードの弱運転では、流路切替ダンパ５８ａにより外気導入経路５への流路は開くと共に外気還気経路５７ａへの流路は閉じ、外気ＯＡの全量を外気導入経路５に供給する。
【０２７７】
また、流路切替ダンパ５８ｂにより空調前経路５５ａへの流路は閉じると共に空調バイパス経路５６ｂへの流路は開き、外気ＯＡの全量を空調バイパス経路５６ｂに供給する。
【０２７８】
更に、流路切替ダンパ５８ｄにより給気口５２への流路は開くと共に還気経路５７ｃへの流路は閉じ、外気ＯＡの全量を給気口５２から給気する。
【０２７９】
また、流路切替ダンパ５８ｅにより第１の吸気口４１から内気排出経路４への流路は開くと共に循環経路５７ｂへの流路は閉じ、還気ＲＡの全量を内気排出経路４に供給する。
【０２８０】
以上の状態で、外気導入ファン５３を作動させると、第２の吸気口５１から外気ＯＡが吸入され、吸入した全量の外気ＯＡが外気導入経路５から空調バイパス経路５６ｂへ供給される。これにより、外気ＯＡは、熱交換素子３Ａ及びヒートポンプ空調機２Ａをバイパスして給気ＳＡとして給気口５２から室内に給気される。
【０２８１】
内気排出ファン４３を作動させると、第１の吸気口４１から室内の空気が還気ＲＡとして吸入される。第１の吸気口４１から吸入された還気ＲＡは、排気口４２から排気ＥＡとして室外へ排出される。
【０２８２】
換気モードの弱運転では、以上の動作により、給排気による室内の換気を行うことができる。
【０２８３】
なお、第２の実施の形態の空調装置１Ｂで換気モードの弱運転を行った場合、外気ＯＡが熱交換素子７で還気ＲＡと熱交換されるため、夏季では、還気ＲＡの温度に応じて温度が下げられた外気ＯＡが室内に給気され、冬季では、還気ＲＡ  の温度に応じて温度が上げられた外気ＯＡが室内に給気される。
【０２８４】
これにより、所定時間で室内（建物内）の空気を入れ替えるため、常時換気を行う２４時間換気装置に適用した場合、室温の変化を抑えて換気を行うことが可能である。
【０２８５】
図１６は、空調装置１Ａで換気能力を「強」として換気モードを実行した際の空気の流れを示す動作説明図である。
【０２８６】
換気モードの強運転では、内気排出ファン４３及び外気導入ファン５３の回転数を増大させることで換気風量を増加させる。すなわち、流路切替ダンパ５８ｅにより第１の吸気口４１から内気排出経路４への流路と循環経路５７ｂへの流路を開き、開度を調整して、還気ＲＡの所定量を外気導入経路５に分配する。
【０２８７】
他の構成要素の状態は、換気モードの弱運転の場合と同じであり、流路切替ダンパ５８ａにより外気導入経路５への流路は開くと共に外気還気経路５７ａへの流路は閉じ、外気ＯＡの全量を外気導入経路５に供給する。
【０２８８】
また、流路切替ダンパ５８ｂにより空調前経路５５ａへの流路は開くと共に空調バイパス経路５６ｂへの流路は閉じ、外気ＯＡと所定量の還気ＲＡの混合空気の全量を空調前経路５５ａに供給する。
【０２８９】
更に、流路切替ダンパ５８ｃにより熱交換経路５５ｃへの流路は開くと共に熱交換バイパス経路５６ａへの流路は閉じ、外気ＯＡと所定量の還気ＲＡの混合空気の全量を熱交換経路５５ｃに供給する。
【０２９０】
また、流路切替ダンパ５８ｄにより給気口５２への流路は開くと共に還気経路５７ｃへの流路は閉じ、外気ＯＡと所定量の還気ＲＡの混合空気の全量を給気口５２から給気する。
【０２９１】
換気モードの強運転でも、熱交換素子３Ａへの給水は行わない。これにより、図３に示す吸水部材３３は、乾燥した状態である。また、ヒートポンプ空調機２Ａは、圧縮機２３を停止させ、作動させていない。
【０２９２】
以上の状態で、外気導入ファン５３を作動させると、第２の吸気口５１から外気ＯＡが吸入され、吸入した全量の外気ＯＡが外気導入経路５から熱交換経路５５ｃへ供給される。
【０２９３】
また、内気排出ファン４３を作動させると、第１の吸気口４１から室内の空気が還気ＲＡとして吸入され、所定量の還気ＲＡが循環経路５７ｂから外気導入経路５へ導入されて外気ＯＡと混合され、熱交換経路５５ｃへ供給される。
【０２９４】
熱交換経路５５ｃでは、熱交換素子３Ａ及びヒートポンプ空調機２Ａを機能させていないことから、外気ＯＡと還気ＲＡとの混合空気は空気調和されず、給気ＳＡとして給気口５２から室内に給気される。
【０２９５】
換気モードの強運転では、内気排出ファン４３を作動させることで、第１の吸気口４１から吸入された還気ＲＡの一部は、排気口４２から排気ＥＡとして室外へ排出される。
【０２９６】
図１７は、空調装置１Ａで換気能力を「強」として換気モードを実行した際の他の実施の形態を示す動作説明図である。
【０２９７】
他の実施の形態の換気モードの強運転では、内気排出ファン４３及び外気導入ファン５３の回転数を増大させることで換気風量を増加させると共に、熱交換素子３Ａ及びヒートポンプ空調機２Ａをバイパスする。
【０２９８】
すなわち、流路切替ダンパ５８ｅにより第１の吸気口４１から内気排出経路４への流路と循環経路５７ｂへの流路を開き、開度を調整して、還気ＲＡの所定量を外気導入経路５に分配する。
【０２９９】
他の構成要素の状態は、他の実施の形態の換気モードの弱運転の場合と同じであり、流路切替ダンパ５８ａにより外気導入経路５への流路は開くと共に外気還気経路５７ａへの流路は閉じ、外気ＯＡの全量を外気導入経路５に供給する。
【０３００】
また、流路切替ダンパ５８ｂにより空調前経路５５ａへの流路は閉じると共に空調バイパス経路５６ｂへの流路は開き、外気ＯＡと所定量の還気ＲＡの混合空気の全量を空調バイパス経路５６ｂに供給する。
【０３０１】
更に、流路切替ダンパ５８ｄにより給気口５２への流路は開くと共に還気経路５７ｃへの流路は閉じ、外気ＯＡと所定量の還気ＲＡの混合空気の全量を給気口５２から給気する。
【０３０２】
以上の状態で、外気導入ファン５３を作動させると、第２の吸気口５１から外気ＯＡが吸入され、吸入した全量の外気ＯＡが外気導入経路５から空調バイパス経路５６ｂへ供給される。
【０３０３】
また、内気排出ファン４３を作動させると、第１の吸気口４１から室内の空気が還気ＲＡとして吸入され、所定量の還気ＲＡが循環経路５７ｂから外気導入経路５へ導入されて外気ＯＡと混合され、空調バイパス経路５６ｂへ供給される。
【０３０４】
これにより、外気ＯＡと還気ＲＡの混合空気は、熱交換素子３Ａ及びヒートポンプ空調機２Ａをバイパスして給気ＳＡとして給気口５２から室内に給気される。
【０３０５】
換気モードの強運転では、内気排出ファン４３を作動させることで、第１の吸気口４１から吸入された還気ＲＡの一部は、排気口４２から排気ＥＡとして室外へ排出される。
【０３０６】
換気モードの強運転では、以上の動作により、還気ＲＡの一部を循環させると共に、内気排出ファン４３及び外気導入ファン５３の回転数を増大させることで換気風量を増加させ、所定の広さを持つ空間の換気を短時間で行うことができる。
【０３０７】
なお、第２の実施の形態の空調装置１Ｂで換気モードの強運転を行った場合でも、夏季では、還気ＲＡの温度に応じて温度が下げられた外気ＯＡが室内に給気され、冬季では、還気ＲＡの温度に応じて温度が上げられた外気ＯＡが室内に給気される。
【０３０８】
これにより、所定時間で室内（建物内）の空気を入れ替えるため、常時換気を行う２４時間換気装置に適用した場合、室温の変化を抑えて換気を行うことが可能である。
【０３０９】
（７）洗浄・乾燥モードの動作例
図１８は、空調装置１Ａで夏季に洗浄・乾燥モードを実行した際の洗浄時の空気の流れを示す動作説明図である。
【０３１０】
夏季あるいは夏季に空調装置１Ａを使用した後の洗浄・乾燥モードの洗浄運転では、流路切替ダンパ５８ａにより外気導入経路５への流路は開くと共に外気還気経路５７ａへの流路は閉じ、外気ＯＡを外気導入経路５に供給する。
【０３１１】
また、流路切替ダンパ５８ｂにより空調前経路５５ａへの流路は開くと共に空調バイパス経路５６ｂへの流路は閉じ、外気ＯＡを空調前経路５５ａに供給する。
【０３１２】
更に、流路切替ダンパ５８ｃにより熱交換経路５５ｃへの流路は開くと共に熱交換バイパス経路５６ａへの流路は閉じ、外気ＯＡを熱交換素子３Ａとヒートポンプ空調器２Ａの第１の熱交換器２１を通す熱交換経路５５ｃに供給する。
【０３１３】
また、流路切替ダンパ５８ｄにより給気口５２への流路は閉じると共に還気経路５７ｃへの流路は開き、洗浄に用いた外気ＯＡを給気口５２から給気せず、内気排出経路４に戻す。
【０３１４】
更に、流路切替ダンパ５８ｅにより第１の吸気口４１から内気排出経路４への流路は開くと共に循環経路５７ｂへの流路は閉じ、還気ＲＡを内気排出経路４に供給する。
【０３１５】
夏季の洗浄・乾燥モードの洗浄運転では、ディスペンサ６３から洗浄液を吐出し、洗浄液供給経路６４及び給水経路６２を介して第１の散水装置６１ａにより熱交換素子３Ａへの散布を行うと共に、第２の散水装置６１ｂによりヒートポンプ空調器２Ａの第１の熱交換器２１への散布を行う。
【０３１６】
ここで、第１の散水装置６１ａでは、図２に示す熱交換素子３Ａの第１の流路３０ａの吸込口３５ａと、第２の流路３０ｂの吸込口３５ｂから洗浄液を散布することで、熱交換素子３Ａでは、第１の流路３０ａと第２の流路３０ｂ内に洗浄液が供給される。
【０３１７】
なお、熱交換素子３Ａと第１の熱交換器２１の図示しない冷却フィンは、アルミニウムや銅等の素材で構成されるため、洗浄液は、水溶性の場合は腐食が起こらない殺菌剤入りの中性洗剤が好ましく、また、有機溶剤では、アルコール等の殺菌効果のあるものが好ましい。更に、銀イオン（Ａｇ+）や銅イオン（Ｃｕ2+）等の金属イオンを供給できるようにしても良い。
【０３１８】
ヒートポンプ空調機２Ａは、圧縮機２３を停止させ、作動させていない。
【０３１９】
以上の状態で、外気導入ファン５３を作動させると、第２の吸気口５１から外気ＯＡが吸入され、吸入された外気ＯＡが外気導入経路５から熱交換経路５５ｃへ供給される。
【０３２０】
熱交換経路５５ｃでは、熱交換素子３Ａの第１の流路３０ａを外気ＯＡが通り、第１の流路３０ａを通った外気ＯＡがヒートポンプ空調機２Ａの第１の熱交換器２１を通り、第１の熱交換器２１を通った外気ＯＡが熱交換素子３Ａに戻り、第２の流路３０ｂを通る。
【０３２１】
熱交換素子３Ａの第１の流路３０ａ及び第２の流路３０ｂと、ヒートポンプ空調機２Ａの第１の熱交換器２１には洗浄液が散布されているので、熱交換素子３Ａ及び第１の熱交換器２１の空気が通る部分が洗浄、殺菌される。なお、空気の流れにより洗浄液が通る経路中にフィルタを備える構成とすれば、フィルタの洗浄や殺菌が可能となる。
【０３２２】
熱交換素子３Ａの第２の流路３０ｂを通る外気ＯＡは、給気口５２から給気されることなく、還気経路５７ｃから内気排出経路４に戻る。
【０３２３】
なお、熱交換素子３Ａ及び第１の熱交換器２１に散布された洗浄液の余剰分は第１のドレンパン６５ａで捕集され、第１の排水経路６６ａと第３の排水経路６６ｃを介して室外へ排水される。
【０３２４】
洗浄・乾燥モードの洗浄運転では、内気排出ファン４３を作動させて換気を連動させている。すなわち、内気排出ファン４３を作動させると、第１の吸気口４１から室内の空気が還気ＲＡとして吸入される。第１の吸気口４１から吸入された還気ＲＡは、還気経路５７ｃから戻った外気ＯＡと混合し、排気口４２から排気ＥＡとして室外へ排出される。
【０３２５】
ここで、第１の吸気口４１から洗浄液を含む外気ＯＡが漏れないようにするため、第１の吸気口４１に図示しない逆流防止ダンパを備え、洗浄・乾燥モードでは、ダンパを閉じて第１の吸気口４１からの逆流を防止すると良い。
【０３２６】
夏季における洗浄・乾燥モードの洗浄運転では、以上の動作により、主に夏季に除湿換気モード等を実行することで、空気中の水分を結露させているヒートポンプ空調機２Ａの第１の熱交換器２１や、熱交換素子３Ａを洗浄することができる。これにより、第１の熱交換器２１や熱交換素子３Ａ内等でのカビの発生を抑制すると共に、付着した花粉や埃を洗い流すことができる。
【０３２７】
図１９は、空調装置１Ａで冬季に洗浄・乾燥モードを実行した際の洗浄時の空気の流れを示す動作説明図である。
【０３２８】
冬季あるいは冬季に空調装置１Ａを使用した後の洗浄・乾燥モードの洗浄運転では、空気を通す経路は夏季の洗浄・乾燥モードと同じであり、流路切替ダンパ５８ａにより外気導入経路５への流路は開くと共に外気還気経路５７ａへの流路は閉じ、外気ＯＡを外気導入経路５に供給する。
【０３２９】
また、流路切替ダンパ５８ｂにより空調前経路５５ａへの流路は開くと共に空調バイパス経路５６ｂへの流路は閉じ、外気ＯＡを空調前経路５５ａに供給する。
【０３３０】
更に、流路切替ダンパ５８ｃにより熱交換経路５５ｃへの流路は開くと共に熱交換バイパス経路５６ａへの流路は閉じ、外気ＯＡを熱交換素子３Ａとヒートポンプ空調器２Ａの第１の熱交換器２１を通す熱交換経路５５ｃに供給する。
【０３３１】
また、流路切替ダンパ５８ｄにより給気口５２への流路は閉じると共に還気経路５７ｃへの流路は開き、洗浄に用いた外気ＯＡを給気口５２から給気せず、内気排出経路４に戻す。
【０３３２】
更に、流路切替ダンパ５８ｅにより第１の吸気口４１から内気排出経路４への流路は開くと共に循環経路５７ｂへの流路は閉じ、還気ＲＡを内気排出経路４に供給する。
【０３３３】
冬季の洗浄・乾燥モードの洗浄運転では、ディスペンサ６３から洗浄液を吐出し、洗浄液供給経路６４及び給水経路６２を介して第１の散水装置６１ａにより熱交換素子３Ａへの散布を行う。なお、図示しないバルブを閉じる等により、同じ給水経路６２に接続されている第２の散水装置６１ｂからの第１の熱交換器２１への洗浄液の散布は行わない。また、ヒートポンプ空調機２Ａは、圧縮機２３を停止させ、作動させていない。
【０３３４】
以上の状態で、外気導入ファン５３を作動させると、第２の吸気口５１から外気ＯＡが吸入され、吸入された外気ＯＡが外気導入経路５から熱交換経路５５ｃへ供給される。
【０３３５】
熱交換経路５５ｃでは、熱交換素子３Ａの第１の流路３０ａを外気ＯＡが通り、第１の流路３０ａを通った外気ＯＡがヒートポンプ空調機２Ａの第１の熱交換器２１を通り、第１の熱交換器２１を通った外気ＯＡが熱交換素子３Ａに戻り、第２の流路３０ｂを通る。
【０３３６】
熱交換素子３Ａの第１の流路３０ａ及び第２の流路３０ｂには洗浄液が散布されているので、熱交換素子３Ａの空気が通る部分が洗浄、殺菌される。
【０３３７】
熱交換素子３Ａの第２の流路３０ｂを通る外気ＯＡは、給気口５２から給気されることなく、還気経路５７ｃから内気排出経路４に戻る。
【０３３８】
なお、熱交換素子３Ａに散布された洗浄液の余剰分は第１のドレンパン６５ａで捕集されて室外へ排水される。
【０３３９】
洗浄・乾燥モードの洗浄運転では、内気排出ファン４３を作動させて換気を連動させている。すなわち、内気排出ファン４３を作動させると、第１の吸気口４１から室内の空気が還気ＲＡとして吸入される。第１の吸気口４１から吸入された還気ＲＡは、還気経路５７ｃから戻った外気ＯＡと混合し、排気口４２から排気ＥＡとして室外へ排出される。
【０３４０】
冬季における洗浄・乾燥モードの洗浄運転では、以上の動作により、主に冬季に加湿暖房モード等を実行することで、湿潤した状態としている熱交換素子３Ａの第２の流路３０ｂを洗浄することができる。これにより、熱交換素子３Ａ内等でのカビの発生を抑制すると共に、付着した花粉や埃を洗い流すことができる。
【０３４１】
図２０は、空調装置１Ａで洗浄・乾燥モードを実行した際の乾燥時の空気の流れを示す動作説明図である。
【０３４２】
洗浄・乾燥モードの乾燥運転では、空気を通す経路は洗浄運転時と同じであり、流路切替ダンパ５８ａにより外気導入経路５への流路は開くと共に外気還気経路５７ａへの流路は閉じ、外気ＯＡを外気導入経路５に供給する。
【０３４３】
また、流路切替ダンパ５８ｂにより空調前経路５５ａへの流路は開くと共に空調バイパス経路５６ｂへの流路は閉じ、外気ＯＡを空調前経路５５ａに供給する。
【０３４４】
更に、流路切替ダンパ５８ｃにより熱交換経路５５ｃへの流路は開くと共に熱交換バイパス経路５６ａへの流路は閉じ、外気ＯＡを熱交換素子３Ａとヒートポンプ空調器２Ａの第１の熱交換器２１を通す熱交換経路５５ｃに供給する。
【０３４５】
また、流路切替ダンパ５８ｄにより給気口５２への流路は閉じると共に還気経路５７ｃへの流路は開き、洗浄及び乾燥に用いた外気ＯＡを給気口５２から給気せず、内気排出経路４に戻す。
【０３４６】
更に、流路切替ダンパ５８ｅにより第１の吸気口４１から内気排出経路４への流路は開くと共に循環経路５７ｂへの流路は閉じ、還気ＲＡを内気排出経路４に供給する。
【０３４７】
洗浄・乾燥モードの乾燥運転では、第１の散水装置６１ａ及び第２の散水装置６１ｂからの洗浄液等の散布は行わない。また、ヒートポンプ空調機２Ａは、圧縮機２３を停止させ、作動させていない。
【０３４８】
以上の状態で、外気導入ファン５３を作動させると、第２の吸気口５１から外気ＯＡが吸入され、吸入された外気ＯＡが外気導入経路５から熱交換経路５５ｃへ供給される。
【０３４９】
熱交換経路５５ｃでは、熱交換素子３Ａの第１の流路３０ａを外気ＯＡが通り、第１の流路３０ａを通った外気ＯＡがヒートポンプ空調機２Ａの第１の熱交換器２１を通り、第１の熱交換器２１を通った外気ＯＡが熱交換素子３Ａに戻り、第２の流路３０ｂを通る。
【０３５０】
これにより、空気の流れによって、熱交換素子３Ａ及び第１の熱交換器２１等が乾燥される。
【０３５１】
熱交換素子３Ａの第２の流路３０ｂを通る外気ＯＡは、給気口５２から給気されることなく、還気経路５７ｃから内気排出経路４に戻る。
【０３５２】
洗浄・乾燥モードの乾燥運転では、内気排出ファン４３を作動させて換気を連動させている。すなわち、内気排出ファン４３を作動させると、第１の吸気口４１から室内の空気が還気ＲＡとして吸入される。第１の吸気口４１から吸入された還気ＲＡは、還気経路５７ｃから戻った外気ＯＡと混合し、排気口４２から排気ＥＡとして室外へ排出される。
【０３５３】
洗浄・乾燥モードの乾燥運転では、以上の動作により、熱交換素子３Ａ及びヒートポンプ空調機２Ａの第１の熱交換器２１等を乾燥させることができ、熱交換素子３Ａや第１の熱交換器２１等でのカビの発生を抑制することができる。
【０３５４】
そして、洗浄動作と乾燥動作を連動させることで、洗浄に用いた洗浄液の残留を防ぐことができ、ユーザや業者の手作業によらず、空調装置１Ａの洗浄を行うことができる。
【０３５５】
従って、運転の再開時に、室内に有害な物質や臭気を給気することを防ぐことができる。
【０３５６】
図２１は、空調装置１Ａで洗浄・乾燥モードを実行した際の乾燥時の他の実施の形態を示す動作説明図である。
【０３５７】
洗浄・乾燥モードの乾燥運転の他の実施の形態では、還気ＲＡの一部を循環させる。すなわち、流路切替ダンパ５８ｅにより第１の吸気口４１から内気排出回路４への流路と循環経路５７ｂへの流路を開き、開度を調整して、還気ＲＡの所定量を外気導入経路５に分配する。
【０３５８】
他の構成要素の状態は、洗浄・乾燥モードの換気による乾燥運転時と同じであり、流路切替ダンパ５８ａにより外気導入経路５への流路は開くと共に外気還気経路５７ａへの流路は閉じ、外気ＯＡを外気導入経路５に供給する。
【０３５９】
また、流路切替ダンパ５８ｂにより空調前経路５５ａへの流路は開くと共に空調バイパス経路５６ｂへの流路は閉じ、外気ＯＡと還気ＲＡの混合空気を空調前経路５５ａに供給する。
【０３６０】
更に、流路切替ダンパ５８ｃにより熱交換経路５５ｃへの流路は開くと共に熱交換バイパス経路５６ａへの流路は閉じ、外気ＯＡと還気ＲＡの混合空気を熱交換素子３Ａとヒートポンプ空調器２Ａの第１の熱交換器２１を通す熱交換経路５５ｃに供給する。
【０３６１】
また、流路切替ダンパ５８ｄにより給気口５２への流路は閉じると共に還気経路５７ｃへの流路は開き、洗浄及び乾燥に用いた外気ＯＡと還気ＲＡの混合空気を給気口５２から給気せず、内気排出経路４に戻す。
【０３６２】
以上の状態で、外気導入ファン５３を作動させると、第２の吸気口５１から外気ＯＡが吸入され、吸入された外気ＯＡが外気導入経路５から熱交換経路５５ｃへ供給される。
【０３６３】
また、内気排出ファン４３を作動させると、第１の吸気口４１から室内の空気が還気ＲＡとして吸入され、所定量の還気ＲＡが循環経路５７ｂから外気導入経路５へ導入されて外気ＯＡと混合され、熱交換経路５５ｃへ供給される。
【０３６４】
熱交換経路５５ｃでは、熱交換素子３Ａの第１の流路３０ａを外気ＯＡと還気ＲＡの混合空気が通り、第１の流路３０ａを通った外気ＯＡと還気ＲＡの混合空気がヒートポンプ空調機２Ａの第１の熱交換器２１を通り、第１の熱交換器２１を通った外気ＯＡと還気ＲＡの混合空気が熱交換素子３Ａに戻り、第２の流路３０ｂを通る。
【０３６５】
これにより、空気の流れによって、熱交換素子３Ａ及び第１の熱交換器２１等が乾燥される。
【０３６６】
熱交換素子３Ａの第２の流路３０ｂを通る外気ＯＡと還気ＲＡの混合空気は、給気口５２から給気されることなく、還気経路５７ｃから内気排出経路４に戻る。
【０３６７】
内気排出ファン４３を作動させることで、第１の吸気口４１から吸入された還気ＲＡの一部は、還気経路５７ｃから戻った外気ＯＡと混合し、排気口４２から排気ＥＡとして室外へ排出される。
【０３６８】
洗浄・乾燥モードの循環換気による乾燥運転では、以上の動作により、熱交換素子３Ａ及びヒートポンプ空調機２Ａの第１の熱交換器２１等を乾燥させることができ、熱交換素子３Ａや第１の熱交換器２１等でのカビの発生を抑制することができる。
【０３６９】
（８）空調装置の制御の応用例
空調装置１Ａ，１Ｂでは、被空調領域となる室内の温度及び湿度を検出する温度センサと湿度センサを備え、被空調領域に設置されたユーザが操作するコントローラでのユーザ等による設定値になるように、風量、各ダンパの開度、給水量、ヒートポンプ空調機２Ａの運転を制御する。
【０３７０】
例えば、除湿換気モードでは、流路切替ダンパ５８ｃの開度を調整して、熱交換素子３Ａの第１の流路３０ａをバイパスさせる空気の量を調整することで、給気ＳＡの温度等を調整することができる。また、流路切替ダンパ５８ｂの開度を調整して、熱交換素子３Ａ及びヒートポンプ空調機２Ａをバイパスさせる空気の量を調整することで、給気ＳＡの温度及び湿度を調整することができる。
【０３７１】
加湿暖房モードでも、熱交換素子３Ａをバイパスさせる空気の量等を調整することで、給気ＳＡの温度及び湿度を調整することができる。また、熱交換素子３Ａへの給水量を調整することで、給気ＳＡの湿度を調整することができる。
【０３７２】
更に、上述したようにいくつかの運転モードを用意しておき、除湿換気モードと冷房モード、加湿暖房モードと暖房モード等を切り替えながら運転して、温度や湿度を調整することも可能である。
【０３７３】
洗浄に関する制御では、運転積算時間を計測し、運転積算時間が予め決められている設定値を超えると、コントローラで表示して、上述した洗浄・乾燥モードを選択して実行しても良い。これにより、定期的に空調装置の洗浄が可能となる。なお、ユーザによる任意のタイミングで洗浄・乾燥モードを選択できるようにしても良い。
【０３７４】
また、運転積算時間の計測と連動して、設定値を超えたら、フィルタ交換を指示する通知をコントローラでの表示等で報知するようにしても良い。
【０３７５】
給排水に関する制御では、ディスペンサ６３内の洗浄液の液量を検出し、残量が予め決められている設定値を下回ると、補充を指示する通知をコントローラでの表示等で報知する。これにより、洗浄に用いる洗浄液が無くなり正常に洗浄が行えなくなることを防ぐ。
【０３７６】
また、第１のドレンパン６５ａと第２のドレンパン６５ｂに水位センサを備え、水位が予め決められている設定値を超えると、運転を停止する。これにより、漏水を防ぐことができる。
【０３７７】
更に、第１のドレンパン６５ａと第２のドレンパン６５ｂの下面近傍に漏水センサを備え、漏水を検出すると運転を停止する。これにより、漏水が発生していることを報知して、メンテナンスの実施を促すことができる。
【０３７８】
＜空調装置の適用例＞
図２２及び図２３は、第１の実施の形態の空調装置１Ａの適用例を示す構成図である。上述した空調装置１Ａは、様々な形態で実施可能である。例えば、内気排出経路４を一体に構成しても良いし、独立して構成しても良く、図２２（ａ）に示す空調装置１１Ａでは、室外と連通した第２の吸気口５１から熱交換経路５５ｃである第１の流路３０ａ及び空調経路５５ｄを通り、再び熱交換経路５５ｃに戻って第２の流路３０ｂを通り、給気口５２を介して室内と連通した外気導入経路５と、第１の吸気口４１を介して室内と連通すると共に、排気口４２を介して室外と連通した内気排出経路４を１つの筐体内に備える。
【０３７９】
以上の構成では、第２の吸気口５１から吸入した外気ＯＡは、熱交換素子３Ａ及びヒートポンプ空調機２Ａの第１の熱交換器２１を経由して、給気口５２から給気ＳＡとして室内に給気される。また、第１の吸気口４１から吸入した還気ＲＡは、排気口４２から排気ＥＡとして室外へ排出される。
【０３８０】
これにより、単一の装置で上述した除湿換気の動作が可能となる。なお、加湿暖房を行う装置では、熱交換バイパス経路５６ａを備える構成とすればよい。
【０３８１】
更に、図２２（ｂ）に示すように、内気排出経路４を独立させた空調装置１１Ｂでは、換気装置１２と組み合わせることで、空調システム１３が構成される。
【０３８２】
また、図２２（ｃ）に示すように、内気排出経路４を独立させた空調装置１１Ｃでは、室内と連通した第１の吸気口４１と、熱交換経路５５ｃの上流側の外気導入経路５を連通させた循環経路５７ｂを備える構成として、還気ＲＡを循環できるようにしても良い。また、内気排出経路４を独立させた空調装置１１Ｃでは、換気装置１２と組み合わせることで、空調システム１３が構成される。
【０３８３】
これにより、上述した室内空気の循環と連動した除湿換気等の動作が可能となる。
【０３８４】
更に、図２３（ａ）に示すように、内気排出経路４を独立させた空調装置１１Ｄでは、外気導入経路５と独立して、室内と連通した第１の吸気口４１と、熱交換経路５５ｃの第１の流路３０ａを連通させた循環経路５７ｂを備える構成として、還気ＲＡを循環できるようにしても良い。
【０３８５】
これにより、室内空気の循環と連動した除湿、暖房、冷房等の動作が可能となる。また、内気排出経路４を独立させた空調装置１１Ｄでは、換気装置１２と組み合わせることで、空調システム１３が構成される。
【０３８６】
また、図２３（ｂ）に示すように、内気排出経路４を独立させた空調装置１１Ｅでは、熱交換経路５５ｃより下流側で外気導入経路５から分岐し、排気口４２を介して室外と連通する還気経路５７ｃを備える構成として、外気ＯＡを排気できるようにしても良い。
【０３８７】
これにより、上述した洗浄・乾燥の動作が可能となる。また、内気排出経路４を独立させた空調装置１１Ｅでは、換気装置１２と組み合わせることで、空調システム１３が構成される。
【０３８８】
＜空調装置の設置形態例＞
図２４は、本実施の形態の空調装置の第１の形態例を示す構成図である。第１の形態例の空調装置１Ａ−１は、屋内に設置される２つの筐体８ａ，８ｂで構成される。
【０３８９】
一方の筐体８ａには、熱交換素子３Ａと、ヒートポンプ空調機２Ａの第１の熱交換器２１と、熱交換素子３Ａ及び第１の熱交換器２１に対応した給排水系統と、第１の吸気口４１と、給気口５２等を備える。また、他方の筐体８ｂには、ヒートポンプ空調機２Ａの第１の熱交換器２１を除いた構成である一般的なエアコンディショナ装置の室外機に該当する構成と、排気口４２と、第２の吸気口５１等を備える。これにより、筐体８ａと筐体８ｂは、給排気のための空気が通る２本の配管と、冷媒が通る配管で接続される。なお、筐体８ａと筐体８ｂは一体的に構成してもよいし、独立した構成としても良い。
【０３９０】
ここで、ディスペンサ６３は、洗浄液を補充する必要があるので、取り扱いが容易なように、筐体外に設置するような構成でも良い。
【０３９１】
図２５〜図３０は、第１の形態例の空調装置１Ａ−１の設置例を示す構成図で、本実施の形態の建物の一例について説明する。
【０３９２】
第１の形態例の空調装置１Ａ−１は、筐体８ａと筐体８ｂが建物９１の天井裏に設置される。このように、筐体８ｂを屋内に設置すると、ヒートポンプ空調機２Ａの第２の熱交換器２２を通す空気として、外気を直接利用できないので、室内からの還気ＲＡを利用して、第２の熱交換器２２の冷却能力を確保する。
【０３９３】
図２５では、１室に給気すると共に、例えば同じ１室から吸気する構成であり、筐体８ａに給気ダクト９１ａと吸気ダクト９１ｂが接続されて、第１の吸気口４１と給気口５２を構成している。また、筐体８ｂに吸気ダクト９１ｃと排気ダクト９１ｄが接続されて、第２の吸気口５１と排気口４２を構成している。
【０３９４】
図２６では、筐体８ａに複数の給気ダクト９１ａが接続されて複数の給気口５２を備え、多室に給気すると共に、筐体８ａに第１の給気口４１を備え、１室から吸気する構成である。
【０３９５】
図２７では、給気経路を複数の給気ダクト９１ａに分岐する分岐チャンバ８１が接続され、多室に給気すると共に、筐体８ａに第１の給気口４１を備え、１室から吸気する構成である。
【０３９６】
図２８では、複数の吸気ダクト９１ｂを集合させる集合チャンバ８２が接続され、１室に給気すると共に、多室から吸気する構成である。
【０３９７】
図２９では、筐体８ａに複数の給気ダクト９１ａが接続されて複数の給気口５２を備えると共に、複数の吸気ダクト９１ｂを集合させる集合チャンバ８２が接続されて、多室に給気すると共に、多室から吸気する構成である。
【０３９８】
図３０では、給気経路を複数の給気ダクト９１ａに分岐する分岐チャンバ８１と、複数の吸気ダクト９１ｂを集合させる集合チャンバ８２が接続されて、多室に給気すると共に、多室から吸気する構成である。
【０３９９】
図３１は、本実施の形態の空調装置の第２の形態例を示す構成図である。第２の形態例の空調装置１Ａ−２は、屋内に設置される筐体８ｃと、屋外に設置される室外機８ｄで構成される。
【０４００】
筐体８ｃには、熱交換素子３Ａと、ヒートポンプ空調機２Ａの第１の熱交換器２１と、熱交換素子３Ａ及び第１の熱交換器２１に対応した給排水系統と、第１の吸気口４１と、給気口５２と、排気口４２と、第２の吸気口５１と、内気排出ファン４３と、外気導入ファン５３等を備える。また、室外機８ｄには、ヒートポンプ空調機２Ａの第１の熱交換器２１を除いた構成である一般的なエアコンディショナ装置の室外機に該当する構成と、第２の熱交換器２２に送風する冷却ファン８３等を備える。これにより、筐体８ｃと室外機８ｄは、冷媒が通る配管で接続される。
【０４０１】
なお、既存の２４時間換気装置と組み合わせて空調装置を構成することも可能で、例えば、図示しないが、筐体に熱交換素子と、ヒートポンプ空調機の第１の熱交換器と、熱交換素子及び第１の熱交換器に対応した給排水系統と、給気口と、外気導入経路等を備え、２４時間換気装置の給気ダクトに接続して構成される。
【０４０２】
図３２〜図３７は、第２の形態例の空調装置１Ａ−２の設置例を示す構成図である。
【０４０３】
第２の形態例の空調装置１Ａ−２は、筐体８ｃが建物９１の天井裏に設置され、室外機８ｄが屋外に設置される。このように、室外機８ｄを屋外に設置すると、ヒートポンプ空調機２Ａの第２の熱交換器２２を通す空気として、外気を利用できるので、室内からの還気ＲＡを利用しない構成としても良く、内気排出経路４と外気導入経路５を室外機８ｄと分離することができる。
【０４０４】
図３２では、１室に給気すると共に、例えば同じ１室から吸気する構成であり、筐体８ｃに給気ダクト９１ａと吸気ダクト９１ｂが接続されて、第１の吸気口４１と給気口５２を構成している。また、筐体８ｃに吸気ダクト９１ｃと排気ダクト９１ｄが接続されて、第２の吸気口５１と排気口４２を構成している。
【０４０５】
図３３では、筐体８ｃに複数の給気ダクト９１ａが接続されて複数の給気口５２を備え、多室に給気すると共に、筐体８ｃに第１の給気口４１を備え、１室から吸気する構成である。
【０４０６】
図３４では、給気経路を複数の給気ダクト９１ａに分岐する分岐チャンバ８１が接続され、多室に給気すると共に、筐体８ｃに第１の給気口４１を備え、１室から吸気する構成である。
【０４０７】
図３５では、複数の吸気ダクト９１ｂを集合させる集合チャンバ８２が接続され、１室に給気すると共に、多室から吸気する構成である。
【０４０８】
図３６では、筐体８ｃに複数の給気ダクト９１ａが接続されて複数の給気口５２を備えると共に、複数の吸気ダクト９１ｂを集合させる集合チャンバ８２が接続されて、多室に給気すると共に、多室から吸気する構成である。
【０４０９】
図３７では、給気経路を複数の給気ダクト９１ａに分岐する分岐チャンバ８１と、複数の吸気ダクト９１ｂを集合させる集合チャンバ８２が接続されて、多室に給気すると共に、多室から吸気する構成である。
【０４１０】
図３８は、本実施の形態の空調装置の第３の形態例を示す構成図である。第３の形態例の空調装置１Ａ−３は、屋外に設置される室外機８ｅで構成される。
【０４１１】
室外機８ｅは、ヒートポンプ空調機２Ａの第２の熱交換器２２に送風する冷却ファン８３等を有し、一般的なエアコンディショナ装置の室外機と同等な構成のＡＣ室外機８ｆに、熱交換素子３Ａと、ヒートポンプ空調機２Ａの第１の熱交換器２１と、熱交換素子３Ａ及び第１の熱交換器２１に対応した給排水系統と、第１の吸気口４１と、給気口５２と、排気口４２と、第２の吸気口５１と、内気排出ファン４３と、外気導入ファン５３等を一体に備える。
【０４１２】
図３９，図４０は、第３の形態例の空調装置１Ａ−３の設置例を示す構成図である。
【０４１３】
第３の形態例の空調装置１Ａ−３は、室外機８ｅが屋外に設置される。このように、室外機８ｅを屋外に設置すると、ヒートポンプ空調機２Ａの第２の熱交換器２２を通す空気として、外気を利用できるので、室内からの還気ＲＡを利用しない構成としても良い。
【０４１４】
図３９では、１室に給気すると共に、例えば同じ１室から吸気して換気を行う構成で、室外機８ｅに給気ダクト９１ａと吸気ダクト９１ｂが接続されて、第１の吸気口４１と給気口５２を構成している。
【０４１５】
図４０では、給気経路を複数の給気ダクト９１ａに分岐する分岐チャンバ８１が接続され、多室に給気すると共に、１室から吸気して換気する構成である。
【０４１６】
図４１〜図４３は、第３の形態例の空調装置１Ａ−３の変形例を示す構成図である。
【０４１７】
変形例の空調装置１Ａ−４は、換気機能を独立させた構成で、図４１では、室外機８ｅに給気ダクト９１ａが接続されて、給気口５２を構成して１室に給気すると共に、他の１室に換気装置９２が設置されて、図示しないドアのアンダーカット等を利用して１室から換気を行う構成である。
【０４１８】
図４２では、給気経路を複数の給気ダクト９１ａに分岐する分岐チャンバ８１が接続され、多室に給気すると共に、１室に換気装置９２が設置されて、図示しないドアのアンダーカット等を利用して１室から換気を行う構成である。
【０４１９】
図４３では、給気経路を複数の給気ダクト９１ａに分岐する分岐チャンバ８１が接続され、多室に給気すると共に、多室に換気装置９２が設置されて、多室から換気を行う構成である。
【産業上の利用可能性】
【０４２０】
本発明は、室内の加湿等を行う空調装置に適用される。
【図面の簡単な説明】
【０４２１】
【図１】第１の実施の形態の空調装置の一例を示す構成図である。
【図２】熱交換素子の実施の形態の一例を示す構成図である。
【図３】熱交換素子の実施の形態の一例を示す構成図である。
【図４】第２の実施の形態の空調装置の一例を示す構成図である。
【図５】除湿換気モードを弱運転で実行した際の空気の流れを示す動作説明図である。
【図６】除湿換気モードを強運転で実行した際の空気の流れを示す動作説明図である。
【図７】絶対湿度と除湿量の関係を示すグラフである。
【図８】加湿暖房モードを弱運転で実行した際の空気の流れを示す動作説明図である。
【図９】加湿暖房モードを強運転で実行した際の空気の流れを示す動作説明図である。
【図１０】暖房モードを弱運転で実行した際の空気の流れを示す動作説明図である。
【図１１】暖房モードを強運転で実行した際の空気の流れを示す動作説明図である。
【図１２】冷房モードを弱運転で実行した際の空気の流れを示す動作説明図である。
【図１３】冷房モードを強運転で実行した際の空気の流れを示す動作説明図である。
【図１４】換気モードを弱運転で実行した際の空気の流れを示す動作説明図である。
【図１５】換気モードを弱運転で実行した際の他の実施の形態を示す動作説明図である。
【図１６】換気モードを強運転で実行した際の空気の流れを示す動作説明図である。
【図１７】換気モードを強運転で実行した際の他の実施の形態を示す動作説明図である。
【図１８】夏季に洗浄・乾燥モードを実行した際の洗浄時の空気の流れを示す動作説明図である。
【図１９】冬季に洗浄・乾燥モードを実行した際の洗浄時の空気の流れを示す動作説明図である。
【図２０】洗浄・乾燥モードを実行した際の乾燥時の空気の流れを示す動作説明図である。
【図２１】洗浄・乾燥モードを実行した際の循環換気による乾燥時の空気の流れを示す動作説明図である。
【図２２】第１の実施の形態の空調装置１Ａの適用例を示す構成図である。
【図２３】第１の実施の形態の空調装置１Ａの適用例を示す構成図である。
【図２４】空調装置の第１の形態例を示す構成図である。
【図２５】第１の形態例の空調装置の設置例を示す構成図である。
【図２６】第１の形態例の空調装置の設置例を示す構成図である。
【図２７】第１の形態例の空調装置の設置例を示す構成図である。
【図２８】第１の形態例の空調装置の設置例を示す構成図である。
【図２９】第１の形態例の空調装置の設置例を示す構成図である。
【図３０】第１の形態例の空調装置の設置例を示す構成図である。
【図３１】空調装置の第２の形態例を示す構成図である。
【図３２】第２の形態例の空調装置の設置例を示す構成図である。
【図３３】第２の形態例の空調装置の設置例を示す構成図である。
【図３４】第２の形態例の空調装置の設置例を示す構成図である。
【図３５】第２の形態例の空調装置の設置例を示す構成図である。
【図３６】第２の形態例の空調装置の設置例を示す構成図である。
【図３７】第２の形態例の空調装置の設置例を示す構成図である。
【図３８】空調装置の第３の形態例を示す構成図である。
【図３９】第３の形態例の空調装置の設置例を示す構成図である。
【図４０】第３の形態例の空調装置の設置例を示す構成図である。
【図４１】第３の形態例の空調装置の変形例を示す構成図である。
【図４２】第３の形態例の空調装置の変形例を示す構成図である。
【図４３】第３の形態例の空調装置の変形例を示す構成図である。
【符号の説明】
【０４２２】
１Ａ，１Ｂ・・・空調装置、２Ａ・・・ヒートポンプ空調機、３Ａ・・・熱交換素子、４・・・内気排出経路、５・・・外気導入経路、７・・・熱交換素子、８ａ・・・筐体、８ｂ・・・筐体、８ｃ・・・筐体、８ｄ・・・室外機、８ｅ・・・室外機、２０・・・配管、２１・・・第１の熱交換器、２２・・・第２の熱交換器、２３・・・圧縮機、２４・・・膨張弁、２５・・・四方弁、３０ａ・・・第１の流路、３０ｂ・・・第２の流路、３１・・・隔壁、３２ａ，３２ｂ・・・流路形成板、３３・・・吸水部材、３４ａ，３４ｂ・・・スリット、３５ａ，３５ｂ・・・吸込口、３６ａ，３６ｂ・・・吹出口、４１・・・第１の吸気口、４２・・・排気口、４３・・・内気排出ファン、４４ａ，４４ｂ・・・フィルタ、５１・・・第２の吸気口、５２・・・給気口、５３・・・外気導入ファン、５４ａ，５４ｂ・・・フィルタ、５５ａ・・・空調前経路、５５ｂ・・・空調後経路、５５ｃ・・・熱交換経路、５５ｄ・・・空調経路、５６ａ・・・熱交換バイパス経路、５６ｂ・・・空調バイパス経路、５７ａ・・・外気還気経路、５７ｂ・・・循環経路、５７ｃ・・・還気経路、５８ａ〜５８ｅ・・・流路切替ダンパ、６１ａ・・・第１の散水装置、６１ｂ・・・第２の散水装置、６２・・・給水経路、６３・・・ディスペンサ、６４・・・洗浄液供給経路、６５ａ・・・第１のドレンパン、６５ｂ・・・第２のドレンパン、６６ａ・・・第１の排水経路、６６ｂ・・・第２の排水経路、６６ｃ・・・第３の排水経路
【図１】
2007315711.tif 000004
【図２】
2007315711.tif 000005
【図３】
2007315711.tif 000006
【図４】
2007315711.tif 000007
【図５】
2007315711.tif 000008
【図６】
2007315711.tif 000009
【図７】
2007315711.tif 000010
【図８】
2007315711.tif 000011
【図９】
2007315711.tif 000012
【図１０】
2007315711.tif 000013
【図１１】
2007315711.tif 000014
【図１２】
2007315711.tif 000015
【図１３】
2007315711.tif 000016
【図１４】
2007315711.tif 000017
【図１５】
2007315711.tif 000018
【図１６】
2007315711.tif 000019
【図１７】
2007315711.tif 000020
【図１８】
2007315711.tif 000021
【図１９】
2007315711.tif 000022
【図２０】
2007315711.tif 000023
【図２１】
2007315711.tif 000024
【図２２】
2007315711.tif 000025
【図２３】
2007315711.tif 000026
【図２４】
2007315711.tif 000027
【図２５】
2007315711.tif 000028
【図２６】
2007315711.tif 000029
【図２７】
2007315711.tif 000030
【図２８】
2007315711.tif 000031
【図２９】
2007315711.tif 000032
【図３０】
2007315711.tif 000033
【図３１】
2007315711.tif 000034
【図３２】
2007315711.tif 000035
【図３３】
2007315711.tif 000036
【図３４】
2007315711.tif 000037
【図３５】
2007315711.tif 000038
【図３６】
2007315711.tif 000039
【図３７】
2007315711.tif 000040
【図３８】
2007315711.tif 000041
【図３９】
2007315711.tif 000042
【図４０】
2007315711.tif 000043
【図４１】
2007315711.tif 000044
【図４２】
2007315711.tif 000045
【図４３】
2007315711.tif 000046